(57)【要約】  たばこ什器（１００）は、それぞれ複数のたばこ商品をオペレータにより取り出し可能に収容する複数の収容領域と、たばこ商品の銘柄を指定する銘柄指定情報を取得する銘柄指定情報取得部と、収容領域と対応して設けられた表示体（２０）と、表示体（２０）の表示動作を制御する表示制御部（制御部（２２））とを備え、表示制御部は、複数の収容領域のうち銘柄指定情報取得部が取得した銘柄指定情報と対応する収容領域を特定しうる態様で表示体（２０）に表示動作を行わせる制御を行う。
2019244801.tif 000002
【特許請求の範囲】
【請求項１】
それぞれ複数のたばこ商品をオペレータにより取り出し可能に収容する複数の収容領域と、
たばこ商品の銘柄を指定する銘柄指定情報を取得する銘柄指定情報取得部と、
前記収容領域と対応して設けられた表示体と、
前記表示体の表示動作を制御する表示制御部と、
を備え、
前記表示制御部は、前記複数の収容領域のうち前記銘柄指定情報取得部が取得した前記銘柄指定情報と対応する収容領域を特定しうる態様で前記表示体に表示動作を行わせる制御を行うたばこ什器。
【請求項２】
個々の前記収容領域と対応して設けられた複数の前記表示体を備え、
前記表示制御部は、前記複数の収容領域のうち前記銘柄指定情報と対応する収容領域と対応する前記表示体に表示動作を行わせる制御を行う請求項１に記載のたばこ什器。
【請求項３】
前記表示制御部は、前記銘柄指定情報と対応する前記収容領域と対応する前記表示体を他の前記表示体と比べて目立たせる制御を行う請求項２に記載のたばこ什器。
【請求項４】
前記銘柄指定情報取得部は、たばこ商品の取出要求と、当該取出要求と対応する前記銘柄指定情報と、を取得し、
前記表示制御部は、前記収容領域からの前記たばこ商品の取り出しを促す取出報知表示を前記表示体に行わせる請求項１から３のいずれか一項に記載のたばこ什器。
【請求項５】
前記表示制御部は、前記取出要求と対応するたばこ商品を前記収容領域から取り出すべき個数を示す個数指定情報の表示を前記表示体に行わせる請求項４に記載のたばこ什器。
【請求項６】
前記表示制御部は、前記取出要求と対応するたばこ商品が、店舗に設置された複数の販売端末のうちいずれの販売端末での販売用であるかを示す販売端末指定情報の表示を前記表示体に行わせる請求項４又は５に記載のたばこ什器。
【請求項７】
前記取出要求とは異なる前記収容領域からの前記たばこ商品の取り出し動作である誤取出動作を検出する誤取出動作検出部を備え、
前記表示制御部は、前記誤取出動作が発生した場合に、取り出し動作が誤りである旨の誤取出報知表示を前記表示体に行わせる請求項４から６のいずれか一項に記載のたばこ什器。
【請求項８】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記誤取出動作検出部は、前記フラップ部の前傾動作を検出する前傾検出部を含んで構成されている請求項７に記載のたばこ什器。
【請求項９】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前後方向における前記スライダの位置を検出するスライダ位置検出部を含んで構成されている請求項７に記載のたばこ什器。
【請求項１０】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前記スライダの後方に設けられていて、前記スライダとの距離又は最後尾の前記たばこ商品との距離を検出する測距センサを含んで構成されている請求項７に記載のたばこ什器。
【請求項１１】
前記複数の収容領域の各々における前記たばこ商品の残個数を管理する残個管理部を更に備え、
前記表示制御部は、前記残個管理部による管理結果に応じて、前記収容領域への前記たばこ商品の補充を促す補充報知表示を前記表示体に行わせる請求項１から１０のいずれか一項に記載のたばこ什器。
【請求項１２】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
前後方向における前記スライダの位置に応じて揺動する揺動部材と、
を備え、
前記残個管理部は、前記揺動部材の揺動を検出する揺動検出部を含んで構成されている請求項１１に記載のたばこ什器。
【請求項１３】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記残個管理部は、前記フラップ部の前傾動作を検出する前傾検出部を含んで構成されている請求項１１に記載のたばこ什器。
【請求項１４】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前後方向における前記スライダの位置を検出するスライダ位置検出部を含んで構成されている請求項１１に記載のたばこ什器。
【請求項１５】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前記スライダの後方に設けられていて、前記スライダとの距離又は最後尾の前記たばこ商品との距離を検出する測距センサを含んで構成されている請求項１１に記載のたばこ什器。
【請求項１６】
いずれかの前記収容領域へのたばこ商品の補充作業の際には、
前記表示制御部は、
補充作業中の前記収容領域については、たばこ商品の取出要求に基づく前記表示動作を行わず、
その他の前記収容領域については、たばこ商品の取出要求に基づく前記表示動作を行う請求項１１から１５のいずれか一項に記載のたばこ什器。
【請求項１７】
前記複数の収容領域が上下方向及び水平方向にそれぞれ複数列のアレイ状に配置されており、
当該たばこ什器は、
前記複数の収容領域を保持しているか又は前記複数の収容領域を有している収容棚と、
個々の前記収容領域と対応して設けられた複数の前記表示体と、
を備え、
前記表示体は、対応する前記収容領域の前面側を覆う閉状態と、前記収容領域から前方に前記たばこ商品を取り出し可能な開状態とに揺動可能に、前記収容棚に軸支されている請求項１から１６のいずれか一項に記載のたばこ什器。
【請求項１８】
前記表示体は、電子ペーパーを含んで構成されている請求項１から１７のいずれか一項に記載のたばこ什器。
【請求項１９】
個々の前記収容領域と対応して設けられた複数の前記表示体を備え、
前記表示制御部は、通常時においては、前記収容領域に収容されている前記たばこ商品と対応する通常表示を当該収容領域と対応する前記表示体に行わせ、
前記銘柄指定情報取得部が前記銘柄指定情報を取得した場合には、当該銘柄指定情報と対応する前記収容領域と対応する前記表示体において、前記通常表示とは異なる態様での特定報知表示を行わせる請求項１８に記載のたばこ什器。
【請求項２０】
前記表示制御部は、
前記銘柄指定情報取得部が前記銘柄指定情報を取得した場合には、当該銘柄指定情報と対応する前記収容領域と対応する前記表示体において、前記通常表示と前記特定報知表示との双方を並行して行わせる請求項１９に記載のたばこ什器。
【請求項２１】
前記複数の収容領域が上下方向及び水平方向にそれぞれ複数列のアレイ状に配置されており、
個々の前記収容領域と対応して設けられた複数の前記表示体を備え、
前記複数の表示体の各々は、発光部材を含んで構成されており、
水平方向に隣り合う前記表示体どうしが相互に電気的及び機械的に接続されて一体の表示体群を構成している請求項１から１６のいずれか一項に記載のたばこ什器。
【請求項２２】
前記表示体群の一端に位置する前記表示体から隣の前記表示体へ順次給電される請求項２１に記載のたばこ什器。
【請求項２３】
前記複数の収容領域を保持しているか又は前記複数の収容領域を有している収容棚を備え、
前記表示体群は前記収容棚に対して着脱可能である請求項２１又は２２に記載のたばこ什器。
【請求項２４】
前記表示体群に含まれる前記表示体のうち水平方向において隣り合う前記表示体どうしが相互に着脱可能である請求項２１から２３のいずれか一項に記載のたばこ什器。
【請求項２５】
前記収容領域に新規のたばこ商品を収容させる旨の要求である新規収容要求を受け付ける新規収容要求受付部を備え、
前記表示制御部は、前記新規収容要求受付部が前記新規収容要求を受け付けた場合に、前記新規のたばこ商品を収容する前記収容領域の候補を案内する候補領域案内表示を前記表示体に行わせる請求項１から２４のいずれか一項に記載のたばこ什器。
【請求項２６】
前記オペレータは店舗の店員であり、
前記銘柄指定情報取得部は、前記店員により入力される前記銘柄指定情報を取得する請求項１から２５のいずれか一項に記載のたばこ什器。
【請求項２７】
前記表示体として、個々の前記収容領域からの前記たばこ商品の取り出し側にそれぞれ配置された、複数の取出側表示体を備え、
前記表示制御部は、前記銘柄指定情報取得部が取得した前記銘柄指定情報と対応する収容領域を特定しうる態様での表示動作を、前記銘柄指定情報と対応する収容領域の取り出し側に配置された前記取出側表示体に行わせる請求項１から２６のいずれか一項に記載のたばこ什器。
【請求項２８】
前記表示体として、個々の前記収容領域からの前記たばこ商品の取り出し側とは反対側に配置された、複数の反対側表示体を備え、
前記表示制御部は、前記銘柄指定情報取得部が取得した前記銘柄指定情報と対応する収容領域と対応する前記反対側表示体に表示動作を行わせる請求項１から２７のいずれか一項に記載のたばこ什器。
【請求項２９】
当該たばこ什器は、
それぞれ前記収容領域を構成する複数のマガジンと、
前記マガジンが搭載される棚板を有する収容棚と、
前記マガジンが前記棚板上の基準位置から他の位置に移動したこと、及び、前記マガジンが前記基準位置に復帰したことを検出するマガジン移動検出部と、
前記マガジン移動検出部による検出の履歴を記憶保持する履歴情報記憶部と、
を備える請求項１から２８のいずれか一項に記載のたばこ什器。
【請求項３０】
前記マガジンが前記基準位置から他の位置に移動したことを報知するマガジン移動報知部を更に備える請求項２９に記載のたばこ什器。
【請求項３１】
当該たばこ什器は、それぞれ前記収容領域を構成する複数のマガジンと、前記マガジンが搭載される棚板を有する収容棚と、を備え、
前記表示体は、
前記収容棚における前記マガジンよりも後方の位置に配置された光源と、
前記棚板に設けられていて、前記光源から出力された光を前記棚板の前端面に向けて導く導光部材と、
を備えて構成されており、前記導光部材を介して導かれた光を利用して、前記棚板の前端面において前記表示動作を行う請求項１から３０のいずれか一項に記載のたばこ什器。
【請求項３２】
前記表示制御部は、前記銘柄指定情報と対応する収容領域を特定しうる態様での前記表示動作として、
大まかな領域の報知表示である第１報知表示と、より詳細な領域の報知表示である第２報知表示と、を行わせる請求項１から３１のいずれか一項に記載のたばこ什器。
【請求項３３】
当該たばこ什器は、複数の収容棚を備え、
前記複数の収容棚の各々は、前記複数の収容領域を保持しているか又は前記複数の収容領域を有しており、
前記第１報知表示は、複数の収容棚のうち特定の収容棚を報知する表示であり、
前記第２報知表示は、前記第１報知表示により報知される前記収容棚の複数の収容領域のうち特定の収容領域を報知する表示である請求項３２に記載のたばこ什器。
【請求項３４】
当該たばこ什器は、それぞれ前記収容領域を構成する複数のマガジンと、前記マガジンが搭載される棚板を有する収容棚と、を備え、
前記収容棚には、前記複数のマガジンが上下方向及び水平方向にそれぞれ複数列のアレイ状に配置されており、
前記棚板の前端面において、個々の前記マガジンと対応する位置において前記表示動作が可能に、複数の前記表示体が設けられており、
前記表示制御部は、前記銘柄指定情報と対応する収容領域を特定しうる態様での表示動作として、前記銘柄指定情報と対応する前記マガジンを上下から挟む一対の前記表示体を用いた表示動作を行わせる請求項１から３３のいずれか一項に記載のたばこ什器。
【請求項３５】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
当該たばこ什器は、前記搭載部における前記たばこ商品の個数、又は、当該個数の増減を検出する残個数検出部を備え、
前記残個数検出部は、前記スライダの後方に設けられていて、前記スライダとの距離又は最後尾の前記たばこ商品との距離を検出する測距センサを含んで構成されており、
前記マガジンからの前記たばこ商品の取出要求が発生した場合に、前記残個数検出部は、前記測距センサによる検出動作を一時的にアクティブにし、その後、所定の終了条件が成立した場合に、当該検出動作を非アクティブにする請求項１から３４のいずれか一項に記載のたばこ什器。
【請求項３６】
それぞれ複数のたばこ商品をオペレータにより取り出し可能に収容する複数の収容領域と、前記複数の収容領域を保持しているか又は前記複数の収容領域を有している収容棚とを備え、前記複数の収容領域が上下方向及び水平方向にそれぞれ複数列のアレイ状に配置されているたばこ什器に着脱可能に装着される表示体であって、
水平方向に隣り合う複数の表示体どうしが相互に電気的及び機械的に接続されて構成された表示体群の形態となって、前記収容領域と対応する配置で前記収容棚に対して着脱可能である表示体。
【発明の詳細な説明】
【技術分野】
【０００１】
本発明は、たばこ什器、及び、表示体に関する。
【背景技術】
【０００２】
一般的なコンビニエンスストアなどの店舗では、様々な銘柄のたばこ商品がいわゆるたばこ什器に銘柄ごとに陳列されている。すなわち、たばこ什器には、たばこ商品の銘柄ごとに収容領域が設定されており、各収容領域には、対応する銘柄のたばこ商品が収容されている。なお、ここでいうたばこ商品とは、喫煙に供される個々の紙巻たばこではなく、複数本の紙巻たばこを収容している直方体状のパッケージや他のたばこ製品を収容する直方体状のパッケージを意味している。【０００３】
購買者がたばこ商品を購買する際には、（１）購買者が銘柄を指定するとその銘柄のたばこ商品を店員が什器から選び取るか、又は、（２）購買者が自ら所望の銘柄のたばこ商品を什器から取り出して購買するようになっている。【０００４】
特許文献１には、たばこ商品の残個数が少なくなったときにランプが点灯するように構成されたたばこ什器について記載されている。
【先行技術文献】
【特許文献】
【０００５】
【特許文献１】国際公開０３／０３９３０１号パンフレット
【発明の概要】
【発明が解決しようとする課題】
【０００６】
たばこ商品には多数の銘柄が存在する。このため、たばこ什器からのたばこ商品の取り出しの際や、たばこ什器へのたばこ商品の補充の際などにおいて、店員などのオペレータが、各銘柄のたばこ商品と対応する収容領域を迅速に認識することは、必ずしも容易ではない。【０００７】
本発明は、上記の課題に鑑みてなされたものであり、各銘柄のたばこ商品と対応する収容領域をオペレータが容易且つ迅速に認識できるようにするたばこ什器、及び、表示体を提供するものである。
【課題を解決するための手段】
【０００８】
本発明によれば、それぞれ複数のたばこ商品をオペレータにより取り出し可能に収容する複数の収容領域と、
たばこ商品の銘柄を指定する銘柄指定情報を取得する銘柄指定情報取得部と、
前記収容領域と対応して設けられた表示体と、
前記表示体の表示動作を制御する表示制御部と、
を備え、
前記表示制御部は、前記複数の収容領域のうち前記銘柄指定情報取得部が取得した前記銘柄指定情報と対応する収容領域を特定しうる態様で前記表示体に表示動作を行わせる制御を行うたばこ什器が提供される。
【発明の効果】
【０００９】
本発明によれば、各銘柄のたばこ商品と対応する収容領域をオペレータが容易且つ迅速に認識できるようにすることが可能となる。
【図面の簡単な説明】
【００１０】
【図１】第１実施形態に係るたばこ什器の正面図である。
【図２】図２（ａ）は第１実施形態に係るたばこ什器のマガジン什器の部分拡大の斜視図であり、図２（ｂ）は第１実施形態に係るたばこ什器のマガジン什器の部分拡大の分解斜視図である。
【図３】第１実施形態に係るたばこ什器が備えるマガジンの斜視図である。
【図４】第１実施形態に係るたばこ什器のブロック図である。
【図５】第１実施形態に係るたばこ什器の部分拡大の正面図であり、通常時の状態を示す。
【図６】第１実施形態に係るたばこ什器の部分拡大の正面図であり、取出報知表示が行われる状態を示す。
【図７】第１実施形態に係るたばこ什器の模式的な側断面図である。
【図８】第１実施形態に係るたばこ什器の表示体において行われる誤取出報知表示の例を示す正面図である。
【図９】第１実施形態に係るたばこ什器の表示体において行われる残個数表示の例を示す正面図である。
【図１０】第１実施形態に係るたばこ什器の表示体において行われる補充報知表示の例を示す正面図である。
【図１１】第１実施形態に係るたばこ什器の表示体において行われる補充報知表示の他の例を示す正面図である。
【図１２】第２実施形態に係るたばこ什器の模式的な正面図である。
【図１３】図１３（ａ）は第３実施形態に係るたばこ什器の模式的な側断面図、図１３（ｂ）は第３実施形態に係るたばこ什器の棚板に設けられた電極ユニットの平面図、図１３（ｃ）は第３実施形態に係るたばこ什器のマガジンの底面図である。
【図１４】図１４（ａ）及び図１４（ｂ）は第４実施形態に係るたばこ什器のマガジンの動作を説明するための模式的な平面図である。
【図１５】図１５（ａ）は第５実施形態に係るたばこ什器のマガジンの前端部の斜視図であり、図１５（ｂ）は第５実施形態に係るたばこ什器のマガジンの前端部及びその近傍の部分を示す側面図である。
【図１６】図１６（ａ）は第６実施形態に係るたばこ什器が備える操作タブレットのメニュー画面の例を示す図であり、図１６（ｂ）は第６実施形態に係るたばこ什器のマガジンの前面壁において行われる候補領域案内表示の例を示す正面図であり、図１６（ｃ）は候補領域案内表示の実行中における操作タブレットの画面の例を示す図である。
【図１７】第７実施形態に係るたばこ什器において行われる報知表示の例を示す正面図である。
【図１８】図１８（ａ）及び図１８（ｂ）は第８実施形態に係るたばこ什器の部分拡大の正面図である。
【図１９】第９実施形態に係るたばこ什器の正面図である。
【図２０】図２０（ａ）は第９実施形態に係るたばこ什器が備える表示体群（ＬＥＤバー）の分解正面図、図２０（ｂ）は表示体群の正面図、図２０（ｃ）はマガジン収容棚の棚板に対する表示体群の取付構造の例を説明するための側断面図である。
【図２１】第１０実施形態に係るたばこ什器の動作の一例を示す模式的な斜視図である。
【図２２】第１０実施形態に係るたばこ什器の動作の他の一例を示す模式的な斜視図である。
【図２３】第１１実施形態に係るたばこ什器の１つの収容棚を示す斜視図である。
【図２４】第１１実施形態に係るたばこ什器の部分拡大の側断面図であり、１つのマガジン及びその周囲の部分を示す。
【図２５】第１１実施形態に係るたばこ什器の正面図である。
【図２６】第１１実施形態に係るたばこ什器のブロック図である。
【図２７】図２７（ａ）及び図２７（ｂ）は第１２実施形態に係るたばこ什器において、マガジン収容棚の棚板に対してマガジンを位置決めする位置決め機構を説明するための模式的な平面図である。
【図２８】たばこ什器が備える表示装置の表示画面に表示される画像の例を示す図である。
【発明の詳細な説明】
【００１１】
以下、本発明の実施形態について、図面を用いて説明する。なお、すべての図面において、同様の構成要素には同一の符号を付し、適宜に説明を省略する。
【００１２】
先ず、図１から図１１を用いて第１実施形態を説明する。
本実施形態に係るたばこ什器１００は、それぞれ複数のたばこ商品１１をオペレータにより取り出し可能に収容する複数の収容領域（本実施形態の場合、図２（ａ）、図２（ｂ）及び図３に示すマガジン１５）と、たばこ商品１１の銘柄を指定する銘柄指定情報を取得する銘柄指定情報取得部２７（図４）と、収容領域と対応して設けられた表示体２０と、表示体２０の表示動作を制御する表示制御部（制御部２２）とを備えている。表示制御部は、複数の収容領域のうち銘柄指定情報取得部２７が取得した銘柄指定情報と対応する収容領域を特定しうる態様で表示体２０に表示動作を行わせる制御を行う。
【００１３】
本実施形態によれば、複数の収容領域（マガジン１５）のうち銘柄指定情報取得部２７が取得した銘柄指定情報と対応する収容領域を特定しうる態様で表示体２０に表示動作を行わせる制御を表示制御部が行うので、各銘柄のたばこ商品１１と対応する収容領域をオペレータが容易且つ迅速に認識できるようにすることが可能となる。
よって、例えば、たばこ商品１１の取り出しや補充などをオペレータが容易且つ迅速に行うことが可能となる。
【００１４】
ここでいうたばこ商品１１は、喫煙に供される個々の紙巻たばこではなく、複数本の紙巻たばこを収容している直方体状のパッケージや、紙巻たばこ以外の他のたばこ製品を収容する直方体状のパッケージを意味している。他のたばこ製品としては、嗅ぎたばこ、パイプたばこのほか、それら他のたばこ製品に用いられる吸引具等の関連物品を挙げることができる。より詳細には、他のたばこ製品としては、エアロゾル吸引器の一種である電子たばこの関連物品を挙げることができる。
【００１５】
たばこ商品１１は、銘柄ごとに、互いに異なるマガジン１５に収容される。なお、同一銘柄のたばこ商品１１が複数のマガジン１５にそれぞれ収容されてもよい。
【００１６】
ここで、コンビニエンスストアなどの店舗においては、例えば、複数の販売端末（例えば電子キャッシュレジスタ）が設置された販売カウンタが設けられており、この販売カウンタの奥に、店員の作業スペースが設けられており、更に、この作業スペースの奥には、たばこ什器１００が設置される什器設置カウンタが設けられている。
【００１７】
図１に示すように、本実施形態の場合、たばこ什器１００は、マガジン什器６０を備えている。
マガジン什器６０は、例えば、それぞれ複数の棚板１３を有する複数のマガジン収容棚１２と、棚板１３に搭載されている複数のマガジン１５（図２（ａ）、図２（ｂ））と、を備えて構成されている。本実施形態の場合、マガジン１５が収容領域を構成している。
マガジン収容棚１２は、左右一対の側壁１７と、これら側壁１７間に架設されている複数段の棚板１３と、を備えている。なお、互いに隣り合うマガジン収容棚１２は、それらの間に位置する側壁１７を共有していてもよいし、隣り合うマガジン収容棚１２がそれぞれ個別に側壁１７を備えていてもよい。
マガジン什器６０に搭載されているマガジン１５の数は特に限定されないが、一例として、本実施形態の場合、マガジン什器６０は、横並びに配置されている５つのマガジン収容棚１２を備え、各マガジン収容棚１２が７段ずつの棚板１３を有しており、各棚板１３には５つずつのマガジン１５が横並びに配置されている。
このため、マガジン什器６０において、複数のマガジン１５が上下方向及び水平方向にそれぞれ複数列に配置されている。
【００１８】
本実施形態の場合、たばこ什器１００は、マガジン什器６０の前面に沿って配置されている複数の表示パネル５０を備えている。表示パネル５０は、マガジン収容棚１２の各段に配置されている。
各表示パネル５０は、マガジン収容棚１２の各段の前面側の開口を閉塞するようにして配置されている。したがって、各表示パネル５０は、対応する棚板１３に搭載されている５つのマガジン１５の前方を覆っている。
【００１９】
各表示パネル５０は、平板状のパネル本体５１と、パネル本体５１の前面側に設けられている表示体２０と、を備えている。
本実施形態の場合、たばこ什器１００は、個々のマガジン１５と対応して配置された複数の表示体２０を備えている。このため、パネル本体５１には、横並びに５つの表示体２０が設けられており、各表示体２０は、対応するマガジン１５の前方、すなわちマガジン１５からのたばこ商品１１の取り出し側に配置されている。
そして、制御部２２は、マガジン１５からのたばこ商品１１の取り出し側に配置された表示体２０に、銘柄指定情報取得部２７が取得した銘柄指定情報と対応するマガジン１５を特定しうる態様での表示動作を行わせる。
【００２０】
このように、本実施形態に係るたばこ什器１００は、表示体２０として、個々の収容領域（マガジン１５）からのたばこ商品１１の取り出し側にそれぞれ配置された、複数の取出側表示体を備え、表示制御部（制御部２２）は、銘柄指定情報取得部２７が取得した銘柄指定情報と対応する収容領域を特定しうる態様での表示動作を、銘柄指定情報と対応する収容領域の取り出し側に配置された取出側表示体に行わせる。
このため、オペレータは、銘柄指定情報と対応する収容領域からのたばこ商品１１の取り出しを容易に行うことができる。
【００２１】
たばこ什器１００における制御部２２の配置は特に限定されないが、制御部２２は、例えば、マガジン什器６０の天面に搭載されている。
【００２２】
図２（ａ）及び図２（ｂ）に示すように、表示パネル５０は、マガジン収容棚１２に対して揺動可能に軸支されている。例えば、パネル本体５１の上端部には左右一対の軸部５２が設けられており、これら軸部５２が側壁１７に設けられた軸支孔１８によってそれぞれ軸受されている。なお、軸部５２には図示しないスプリングが内蔵されていて、軸部５２がパネル本体５１の側端面から出没可能となっていてもよく、このようにすることによって、側壁１７の軸支孔１８に対する軸部５２の取付作業を容易に行うことができる。
【００２３】
表示パネル５０は、通常時においては自重により水平に垂れ下がった状態となる。この状態では、表示パネル５０がマガジン１５の前面側を覆っている。
一方、オペレータが表示パネル５０の下部を片手で手前に持ち上げることにより、図２（ａ）に示すように表示パネル５０は軸部５２を揺動軸として揺動し、オペレータがもう一方の手でマガジン１５から前方にたばこ商品１１を取り出し可能となる。
【００２４】
なお、本実施形態では、マガジン収容棚１２がマガジン１５を支持（保持）している例を説明するが、本発明は、この例に限らず、マガジン収容棚１２に複数の収容領域が形成されていてもよい。すなわち、マガジン収容棚１２が複数の収容領域を有していてもよい。
このように、たばこ什器１００においては、複数の収容領域（マガジン１５）が上下方向及び水平方向にそれぞれ複数列のアレイ状に配置されており、たばこ什器１００は、複数の収容領域を保持しているか又は複数の収容領域を有している収容棚（マガジン収容棚１２）と、個々の収容領域と対応して設けられた複数の表示体２０とを備え、表示体２０は、対応する収容領域の前面側を覆う閉状態と、収容領域から前方にたばこ商品１１を取り出し可能な開状態とに揺動可能に、収容棚に軸支されている。
【００２５】
本実施形態の場合、表示体２０は電子ペーパーを含んで構成された扁平な板状のものである。表示体２０は、パネル本体５１の前面側に配置され、且つ、パネル本体５１に沿って配置されている。また、電子ペーパーは、表示体２０の前面側に配置されている。
なお、表示体２０の前面は、パネル本体５１の前面から突出していてもよいし、パネル本体５１の前面と面一に配置されていてもよい。
【００２６】
本実施形態の場合、表示体２０が有する電子ペーパーは、カラー表示が可能なものである。
表示体２０は、制御部２２の制御下で、電子ペーパーにおいて各種の表示を行う。表示体２０は、例えば、マガジン収容棚１２に設けられた図示しない配線を介して、表示パネル５０の軸部５２を通して、電力供給を受けたり、制御部２２からの制御信号を受けたりする。ただし、制御部２２から表示体２０に対して無線通信により制御信号が入力されて、無線通信により表示体２０の動作制御が行われてもよい。また、表示体２０は、電池（例えば充電可能な二次電池）を有していても良い。
【００２７】
銘柄指定情報取得部２７が銘柄指定情報を取得した場合、制御部２２は、銘柄指定情報と対応するマガジン１５と対応する表示体２０に表示動作を行わせる。
すなわち、たばこ什器１００は、個々の収容領域（マガジン１５）と対応して設けられた複数の表示体２０を備え、表示制御部（制御部２２）は、複数の収容領域のうち銘柄指定情報と対応する収容領域と対応する表示体２０に表示動作を行わせる制御を行う。
【００２８】
図３に示すように、マガジン１５は、複数のたばこ商品１１が前後に一列に並ぶ整列状態で搭載される搭載部３１と、搭載部３１に沿って前後に移動可能に設けられているスライダ３５と、スライダ３５を前方に向けて付勢している付勢部３６とを備えている。
搭載部３１は、例えば、前面壁１６と、左右一対の側壁３２と、底板部３３と、後面壁３４と、を備えて構成されている。なお、前面壁１６は、側壁３２及び底板部３３の前端部に固定されていてもよいし、前傾可能な状態で一対の側壁３２の前端部により保持されていてもよい。
スライダ３５は、搭載部３１に搭載されたたばこ商品１１を前方に付勢している。搭載部３１におけるたばこ商品１１の残個数が減るほど、スライダ３５は前方に移動するようになっている。
【００２９】
付勢部３６は、スライダ３５に搭載されている。付勢部３６は、例えば、渦巻き状に巻回された板バネであってもよいし、ワイヤリールであってもよい。
後述する他の実施形態の図１３（ｃ）は、付勢部３６がワイヤリールである例を示している。ワイヤリールは、スライダ３５に搭載されているケースと、渦巻き状に巻回されてケース内に収容されている板バネと、ケースに出し入れ可能に収容されているワイヤ６８と、ワイヤ６８が巻回されているリールと、を備えている。ワイヤ６８の先端部６８ａは、搭載部３１の前端部に固定されている。板バネの付勢によりワイヤ６８がリールに巻き取られることによって、ワイヤ６８がケース内に引き込まれるとともに、スライダ３５が前方に移動する。逆に、スライダ３５を後方に移動させると、板バネの付勢に抗してワイヤ６８がケースから引き出される。
【００３０】
図４に示すように、たばこ什器１００は、例えば、複数の表示体２０、制御部２２及び銘柄指定情報取得部２７の他に、不揮発性メモリである記憶部２６と、バーコードリーダ２８と、後述する測距センサ２９と、を備えている。
制御部２２は、制御用プログラムを記憶保持しているＲＯＭ２４と、この制御用プログラムに従って制御動作を実行するＣＰＵ２３と、ＣＰＵ２３の作業領域などとして機能するＲＡＭ２５と、を備えて構成されている。
制御部２２は、表示体２０の動作制御や、記憶部２６に記憶されている情報の読み出し及び記憶部２６への情報の書き込み（記憶させる処理）などを行う。
制御部２２には、銘柄指定情報取得部２７が取得した銘柄指定情報などが入力される他、バーコードリーダ２８により読み取られたバーコードの情報や、測距センサ２９による検出結果などが入力されるようになっている。バーコードは、ＪＡＮ（Ｊａｐａｎｅｓｅ  Ａｒｔｉｃｌｅ  Ｎｕｍｂｅｒ）などの商品識別情報である。
【００３１】
銘柄指定情報取得部２７は、例えば、たばこ什器１００が設置される店舗の店員（オペレータ）により操作される操作タブレットであることが挙げられる。例えば、店員が操作タブレットのタッチパネル式の操作画面に対して、たばこ商品の取り出しを選択することで取出要求を入力し、更に、表示される銘柄リストの中から選択操作を行うことによって、たばこ什器１００から取り出す銘柄の指定を行うことができるようになっている。または、操作タブレットのマイクに向けて店員が銘柄名を音声入力することによって、銘柄の指定が可能であってもよい。
このように、オペレータは店舗の店員であり、銘柄指定情報取得部２７は、店員により入力（例えば、選択操作による入力又は音声入力）される銘柄指定情報を取得する。
更に、オペレータは、例えば、銘柄指定情報取得部２７に対して、購買者が購買しようとするたばこ商品１１の個数を入力（入力操作による入力、又は音声入力）する。
【００３２】
記憶部２６には、各銘柄のたばこ商品１１が複数のマガジン１５のうちいずれのマガジン１５に収容されているのかを示す情報が記憶（登録）されている。
より詳細には、記憶部２６には、例えば、各銘柄のたばこ商品１１の銘柄名、タール値及びニコチン値、及び価格などの銘柄情報が記憶されているとともに、銘柄情報と対応付けて、当該たばこ商品１１が収容されているマガジン１５がいずれのマガジン１５であるかを示すマガジン位置情報が記憶されている。
【００３３】
例えば、マガジン１５へのたばこ商品１１の補充の際などにおいて、店員がたばこ商品１１又はたばこ商品１１のカートンに付されたバーコードをバーコードリーダ２８に読み取らせる処理を行うと、対応するマガジン１５の前面側に配置されている表示体２０において黄色の表示を行わせるなどの処理を制御部２２が行う。
なお、一度に補充するたばこ商品１１の銘柄が複数の場合、例えば、各銘柄のバーコードをバーコードリーダ２８に読み取らせる処理をオペレータが連続して（立て続けに）行った後、銘柄ごとにマガジン１５へのたばこ商品１１の補充が完了する度に、順次（例えば、バーコードの読み取りが行われた順に）、次の銘柄と対応するマガジン１５の前側に配置されている表示体２０において黄色の表示を行わせるなどの処理を行ってもよい。
【００３４】
図５は、たばこ商品の取出要求などが発生していない通常時において、各表示体２０において行われる表示（通常表示３７）の例を示す図である。
図５に示すように、各マガジン１５と対応する表示体２０には、通常表示３７として、例えば、各マガジン１５に収容されているたばこ商品１１の銘柄名及び価格などが表示されている。なお、通常表示３７として表示される情報には、銘柄名及び価格の他、各たばこ商品１１のタール値及びニコチン値などが含まれていてもよい。更には、通常表示３７には、たばこ商品１１の画像が含まれていてもよい。
【００３５】
図６は、たばこ商品の取出要求が発生している状態において当該取出要求と対応するたばこ商品１１が収容されているマガジン１５と対応する表示体２０において行われる表示（取出報知表示３８）の例を示す図である。
取出報知表示３８は、通常表示３７よりも目立つ表示である。例えば、通常表示３７が行われる状態では、表示体２０の表示ペーパーの全面（通常表示３７を除く）が黒色などの目立たない色の表示となっている場合、取出報知表示３８が行われる状態では、表示体２０の表示ペーパーの全面（文字情報や画像の表示を除く）が黄色などの目立つ色の表示となる。
したがって、取出報知表示３８が行われる表示体２０は、他の表示体２０と比べて目立つことになる。
すなわち、表示制御部（制御部２２）は、銘柄指定情報と対応する収容領域（マガジン１５）と対応する表示体２０を他の表示体２０と比べて目立たせる制御を行う。
これにより、オペレータは、たばこ商品１１を取り出すべき収容領域（マガジン１５）の位置を容易且つ迅速に認識できるため、収容領域からのたばこ商品１１の取り出しを迅速に行うことができる。
【００３６】
このように、銘柄指定情報取得部２７は、たばこ商品の取出要求と、当該取出要求と対応する銘柄指定情報とを取得（本実施形態の場合、店員による入力により取得）し、表示制御部（制御部２２）は、収容領域（マガジン１５）からのたばこ商品１１の取り出しを促す取出報知表示３８を表示体２０に行わせる。
【００３７】
マガジン１５からのたばこ商品１１の取り出しは、取出報知表示３８が行われる表示体２０を有する表示パネル５０の下部をオペレータが片手で持ち上げることによって、図２（ａ）に示すように表示パネル５０を開き、その状態で、オペレータがもう一方の手で当該表示体２０と対応するマガジン１５からたばこ商品１１を取り出すことによって行うことができる。
【００３８】
なお、取出報知表示３８を行う際に、図示しないスピーカから音声による取出報知を行うようになっていてもよい。例えば、「黄色くなっている場所からたばこ商品１１を取り出してください。」といった音声報知を行うことが挙げられる。
【００３９】
本実施形態の場合、取出報知表示３８は、単にたばこ商品１１を取り出すべきマガジン１５の位置の報知だけでなく、マガジン１５から取り出すべきたばこ商品１１の個数の表示報知（個数指定情報の表示）を併せて行うものである。
すなわち、表示制御部（制御部２２）は、取出要求と対応するたばこ商品１１を収容領域（マガジン１５）から取り出すべき個数を示す個数指定情報の表示を表示体２０に行わせる。
例えば、図６に示すように、表示体２０において行われる取出報知表示３８として、例えば「２個」との表示報知を行う。
【００４０】
ここで、コンビニエンスストアなどの店舗においては、販売カウンタに複数の販売端末（例えば電子キャッシュレジスタ）が設置されており、複数人の店員により並行して販売処理を行うことができるようになっていることが一般的である。販売端末毎に、異なる店員が販売処理を担当するようになっている。また、各販売端末と対応してそれぞれ銘柄指定情報取得部２７が設けられている。
【００４１】
こうした場合、取出報知表示３８は、たばこ商品１１を取り出すべきマガジン１５の位置や個数の報知だけでなく、取出要求と対応するたばこ商品１１が、複数の販売端末のうちいずれの販売端末での販売用であるかを示す情報（以下、販売端末指定情報）の表示報知を併せて行うものであることが好ましい。
すなわち、例えば、図６に示すように、取出報知表示３８として、「２番レジ」との表示報知を併せて行うことが好ましい。
この場合、複数の販売端末のうち２番レジを担当する店員は、取出報知表示３８が行われているマガジン１５からたばこ商品１１を取り出す作業が自分の担当作業であることを容易に認識でき、当該マガジン１５からたばこ商品１１を取り出すことができる。
このように、表示制御部（制御部２２）は、例えば、取出要求と対応するたばこ商品１１が、店舗に設置された複数の販売端末のうちいずれの販売端末での販売用であるかを示す販売端末指定情報の表示を表示体２０に行わせる。
なお、取出要求と対応するたばこ商品１１が、いずれの販売端末での販売用であるかをより分かりやすくするために、取出報知表示３８を行う表示体２０の色が、販売端末毎に色分けされることも好ましい。更には、取出報知表示３８の表示の際に図示しないスピーカから出力される音声が、販売端末毎に区別されていることも好ましい。
【００４２】
また、このように、表示制御部（制御部２２）は、通常時においては、収容領域（マガジン１５）に収容されているたばこ商品１１と対応する通常表示３７を当該収容領域と対応する表示体２０に行わせ、銘柄指定情報取得部２７が銘柄指定情報を取得した場合には、当該銘柄指定情報と対応する収容領域と対応する表示体２０において、通常表示３７とは異なる態様での特定報知表示（例えば取出報知表示３８）を行わせる。
より詳細には、表示制御部（制御部２２）は、銘柄指定情報取得部２７が銘柄指定情報を取得した場合には、当該銘柄指定情報と対応する表示体２０において、通常表示３７と特定報知表示（取出報知表示３８）との双方を並行して行わせる。
よって、オペレータは、通常表示３７の内容を確認しながら、取出報知表示３８により示される収容領域からたばこ商品１１を取り出すことができる。
【００４３】
なお、本発明において、特定報知表示は、取出報知表示３８に限らず、後述するように、マガジン１５へのたばこ商品１１の補充を促す補充報知表示であってもよい。
【００４４】
図７に示すように、本実施形態の場合、マガジン什器６０のマガジン収容棚１２の後部壁１４の前面側には、各マガジン１５毎に測距センサ２９が設けられている。
測距センサ２９は、例えば、光学式のものであり、前方に向けて光を照射する光照射部と、光照射から照射された光の反射光を受光する受光部と、を有する。測距センサ２９の測定方式は、三角測距式であってもよいし、光が照射されてから受光されるまでの時間差を距離に換算する方式であってもよい。また、測距センサ２９は、光学式のものに限らず、超音波式のものであってもよい。
測距センサ２９は、当該測距センサ２９とスライダ３５との距離、又は、当該測距センサ２９と最後尾のたばこ商品１１との距離を検出する。つまり、測距センサ２９は、マガジン１５に収容されているたばこ商品１１の数が減少するほど前進する部位（最後尾のたばこ商品１１、又は、スライダ３５）の位置を、後方から検出する。
【００４５】
本実施形態の場合、各マガジン１５と対応して設けられている測距センサ２９による検出結果がそれぞれ制御部２２に入力される。制御部２２は、各測距センサ２９による検出結果に基づいて、各マガジン１５からのたばこ商品１１の取り出しの有無を監視する。
制御部２２は、各測距センサ２９から入力された検出結果に基づいて、オペレータが行うマガジン１５からのたばこ商品１１の取り出し動作が、取出要求と対応するたばこ商品１１の取り出し動作であるか否かを判定する。換言すれば、制御部２２及び測距センサ２９によって、取出要求と対応するマガジン１５からのたばこ商品１１の取り出し動作である正常取出動作、又は、取出要求とは異なるマガジン１５からのたばこ商品１１の取り出し動作である誤取出動作を検出できるようになっている。
【００４６】
測距センサ２９及び制御部２２によって正常取出動作を検出した場合、制御部２２は、例えば、取出報知表示３８を終了させる処理を行う。
また、制御部２２は、正常取出動作を検出する度に、銘柄ごとの販売記録を記憶部２６に記憶させるようになっていることが好ましい。
更に、取出報知表示の待ち状態となっている銘柄が存在する場合に、正常取出動作が検出された場合は、次の銘柄の取出報知表示（取出報知表示３８）を行う状態に速やかに移行することができる。
【００４７】
一方、測距センサ２９及び制御部２２によって誤取出動作を検出した場合、制御部２２は、取り出し動作が誤りである旨の誤取出報知表示４０（図８）を、当該誤取出動作が行われたマガジン１５と対応する表示体２０に表示させる。この誤取出報知表示４０は、例えば、「この銘柄ではありません」といった表示である。
また、誤取出報知表示４０も目立つ表示であることが好ましく、例えば、誤取出報知表示４０を行う表示体２０の電子ペーパーは、例えば、全体的に黒色の通常時の表示状態から、全体的に赤色の表示状態に切り替わる。
このように、たばこ什器１００は、取出要求とは異なる収容領域（マガジン１５）からのたばこ商品１１の取り出し動作である誤取出動作を検出する誤取出動作検出部（例えば、測距センサ２９及び制御部２２を含んで構成されている）を備え、表示制御部（制御部２２）は、誤取出動作が発生した場合に、取り出し動作が誤りである旨の誤取出報知表示４０を表示体２０に行わせる。
よって、オペレータは、誤取出動作を行った場合に、その旨を速やかに認識でき、正しい収容領域からたばこ商品１１を取り出すことができる。
なお、図８に示すように、誤取出報知表示４０を行う際に、通常表示３７も併せて行うようにしてもよい。
【００４８】
より詳細には、本実施形態の場合、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６とを備えている。そして、誤取出動作検出部は、スライダ３５の後方に設けられていてスライダ３５との距離又は最後尾のたばこ商品１１との距離を検出する測距センサ２９を含んで構成されている。
【００４９】
なお、誤取出動作の報知を行う際にも、図示しないスピーカから音声による報知を行うようになっていてもよい。
【００５０】
また、本実施形態の場合、制御部２２は、各測距センサ２９による検出結果に基づいて、各マガジン１５におけるたばこ商品１１の残個数を管理するようになっている。
そして、例えば図９に示すように、各マガジン１５と対応する表示体２０において、各マガジン１５におけるたばこ商品１１の残個数を示す表示である残個数表示４３を常時又は店員による要求操作に応じて行う。すなわち、制御部２２は、残個数の管理結果に応じて、各マガジン１５におけるたばこ商品１１の残個数を示す表示である残個数表示４３を、各マガジン１５と対応する表示体２０に行わせる。
よって、店員は、各マガジン１５におけるたばこ商品１１の残個数を容易に認識することができる。
【００５１】
ここで、マガジン１５に収容されている状態でのたばこ商品１１の前後方向の厚み寸法（以下、単に厚み寸法）は、たばこ商品１１の銘柄に応じて異なる。
記憶部２６には、各マガジン１５に収容されているたばこ商品１１の銘柄を示す情報と、当該たばこ商品１１の厚み寸法を示す情報と、が記憶されている。
制御部２２は、銘柄ごとの厚み寸法と、測距センサ２９による検出結果と、に基づいて、各マガジン１５におけるたばこ商品１１の残個数を演算により求めるようになっている。
【００５２】
なお、同一銘柄のたばこ商品１１が複数のマガジン１５にそれぞれ収容されている場合、当該銘柄のたばこ商品１１を収容しているマガジン１５のうちいずれか１つのマガジン１５と対応する表示体２０において残個数の表示を行ってもよい。
【００５３】
更に、制御部２２は、測距センサ２９による検出結果に基づいて、銘柄ごとの販売記録を記憶部２６に記憶させるようになっていてもよい。
【００５４】
また、制御部２２は、測距センサ２９による検出結果に基づいて、たばこ什器１００からのたばこ商品１１の取り出し個数の過不足をモニタリングするようになっていてもよい。この場合、販売すべき個数と比べて、実際にたばこ什器１００から取り出されたたばこ商品１１の個数が多かった場合や少なかった場合に、制御部２２の制御下で、表示体２０による表示報知や音声報知によってアラートを行うようになっていてもよい。
【００５５】
なお、本発明において、たばこ什器１００は、正常取出動作や誤取出動作を自動的に検出する構成に限らない。例えば、店員がたばこ什器１００からたばこ商品１１を取り出す度に、各マガジン１５と対応して設けられている図示しない取出完了ボタンを操作することによって、制御部２２が取出報知表示３８を終了させたり、銘柄ごとの販売記録を記憶部２６に記憶させたりするようになっていてもよい。
【００５６】
更に、本実施形態の場合、たばこ什器１００は、マガジン１５へのたばこ商品１１の補充を促す補充報知表示を行う機能を有する。
記憶部２６には、たばこ商品１１の銘柄ごとに、マガジン１５への補充が必要となる残個数（補充閾値）が設定されている。そして、ある銘柄のたばこ商品１１について、マガジン１５における残個数が補充閾値以下になった場合には、制御部２２は、マガジン１５へのたばこ商品１１の補充を促す補充報知表示を当該マガジン１５と対応する表示体２０において行わせる。
【００５７】
例えば、補充が必要なたばこ商品１１の銘柄が「ＡＢＣたばこ」である場合、図１０に示すように、補充報知表示４４として、「要補充」との文字情報４４ａと、ＡＢＣたばこの画像である画像情報４４ｂと、を含む表示を行う。このため、店員は、補充すべきたばこ商品１１を容易且つ確実に認識し、当該たばこ商品１１を対応するマガジン１５に補充することができる。
【００５８】
このように、たばこ什器１００は、複数の収容領域（マガジン１５）の各々におけるたばこ商品１１の残個数を管理する残個管理部（制御部２２、測距センサ２９）を備え、表示制御部（制御部２２）は、残個管理部による管理結果に応じて、収容領域へのたばこ商品１１の補充を促す補充報知表示４４を表示体２０に行わせる。
また、残個管理部は、スライダ３５の後方に設けられていて、スライダ３５との距離又は最後尾のたばこ商品１１との距離を検出する測距センサ２９を含んで構成されている。
【００５９】
また、補充報知表示４４が行われている最中に、取出要求が発生した場合には、例えば、補充報知表示４４は一旦中断し、割り込み処理として、取出報知表示３８を優先的に行うようになっていてもよい。この場合、例えば、正常取出動作が検出された後で、補充報知表示４４が再開される。
ただし、本発明は、この例に限らず、たばこ什器１００は、取出報知表示３８と補充報知表示４４とを互いに異なる表示態様で一の表示体２０において並行して実行可能であってもよい。
【００６０】
また、複数の銘柄のたばこ商品１１について補充が必要な場合に、補充報知表示４４には、例えば優先順位を示す情報が含まれていることが好ましい。
優先順位を示す情報の表示の例としては、図１１に示すように、補充の優先順位が高い順に、「優先度１」、「優先度２」、「優先度３」といった文字情報を表示することが挙げられる。
ただし、文字情報に代えて、又は、文字情報と併せて、表示体２０の表示色により優先順位を示すようにしてもよい。
補充の優先順位は、例えば、販売実績（販売個数の推移を示すトレンド情報）や在庫状況に基づいて、制御部２２が決定することができる。
【００６１】
以上のような第１実施形態によれば、表示制御部（制御部２２）は、複数の収容領域（マガジン１５）のうち銘柄指定情報取得部２７が取得した銘柄指定情報と対応する収容領域を特定しうる態様で表示体２０に表示を行わせる制御を行う。
よって、各銘柄のたばこ商品１１と対応する収容領域をオペレータが容易且つ迅速に認識できるようにすることが可能となる。これにより、オペレータ（典型的には店員）の作業負担を軽減することができる。
【００６２】
なお、上記の第１実施形態では、誤取出動作が検出された場合に、表示体２０における表示、又は、図示しないスピーカからの音声出力によって誤取出動作の発生を報知する例を説明したが、本発明は、この例に限らない。例えば、図示しないバイブレーターによる振動の付与、臭気の発生、又は、機械的に部材を飛び出させることなどによって、誤取出動作の発生をオペレータに報知してもよい。
【００６３】
〔第２実施形態〕
次に、図１２を用いて第２実施形態を説明する。
本実施形態に係るたばこ什器１００は、以下に説明する点で、上記の第１実施形態に係るたばこ什器１００と相違しており、その他の点では、上記の第１実施形態に係るたばこ什器１００と同様に構成されている。
【００６４】
本実施形態の場合、図１２に示すように、制御部２２がマガジン什器６０から前方に突出している。本実施形態に係るたばこ什器１００は、制御部２２においてマガジン什器６０よりも前方に突出している部分から垂下している連結パネル５５を備えている。
連結パネル５５は、マガジン什器６０の前面に沿って配置されている。連結パネル５５は、複数の表示体２０（図１２には不図示）を含んで構成されている。
より詳細には、連結パネル５５は、例えば、制御部２２においてマガジン什器６０から前方に突出している部分から垂下している保持枠と、この保持枠に対して揺動可能に軸支されている複数の表示パネル５０（図１２では不図示）と、を含んで構成されている。なお、連結パネル５５の保持枠は、マガジン什器６０の前面に固定されていても良い。
表示パネル５０の各表示体２０は、第１実施形態と同様に、対応するマガジン１５の前方に配置されている。また、第１実施形態と同様に、表示パネル５０を開くことによって、表示パネル５０の奥のマガジン１５からたばこ商品１１を取り出すことが可能となっている。
【００６５】
〔第３実施形態〕
次に、図１３（ａ）から図１３（ｃ）を用いて第３実施形態を説明する。
本実施形態の場合、たばこ什器１００は、上述の測距センサ２９の代わりに、前後方向におけるスライダ３５の位置を検出するスライダ位置検出部を備えている。
スライダ位置検出部は、例えば、取出要求とは異なるマガジン１５からのたばこ商品１１の取り出し動作である誤取出動作を検出する誤取出動作検出部を制御部２２とともに構成する。
または、スライダ位置検出部は、例えば、複数のマガジン１５の各々におけるたばこ商品１１の残個数を管理する残個管理部を制御部２２とともに構成する。
【００６６】
図１３（ａ）に示すように、スライダ位置検出部は、例えば、棚板１３上に配置されている電極ユニット６７と、スライダ３５の下部３５ａ（図１３（ｃ）：後述）に設けられている電極６９と、を備えている。
図１３（ｂ）に示すように、電極ユニット６７は、前後方向に長尺な部材であり、前後方向において所定間隔で配置された複数の電極６６を備えている。
【００６７】
ここで、マガジン１５の底板部３３の横幅方向における中央部には、前後に延在するスリット３３ａが形成されている。底板部３３においてスリット３３ａを間に挟む両側部分は、スライダ３５を前後にガイドするガイド部となっている。
一方、スライダ３５は、底板部３３においてスリット３３ａを間に挟む両側部分をそれぞれ上下から挟持している。スライダ３５の下部３５ａは、底板部３３の下面よりも下側に配置されている。
【００６８】
ここで、各電極６６及び電極６９には、適宜の配線が接続されており、電極６９と電極６６とによりコンデンサを構成するようになっている。前後方向におけるスライダ３５の位置が変化すると、電極６９と近接する電極６６が切り替わるため、電極６９とともにコンデンサを構成する電極６６が順次に切り替わる。制御部２２は、各電極６６の静電容量を判定する判定回路を備えており、この判定回路による判定結果に基づいて、前後方向におけるスライダ３５の位置を検出する。
本実施形態の場合、制御部２２は、銘柄ごとの厚み寸法と、スライダ位置検出部による検出結果と、に基づいて、各マガジン１５におけるたばこ商品１１の残個数を演算により求めるようになっている。
このように、スライダ位置検出部は、前後方向において所定間隔で配置されていてスライダ３５の位置検出にそれぞれ用いられる複数の位置検出部（例えば、電極６６）を含んで構成されている。そして、スライダ位置検出部は、スライダ３５に設けられている第１電極（電極６９）を含み、複数の位置検出部の各々は、第２電極（電極６６）であり、スライダ位置検出部は、各第２電極の静電容量を判定する判定回路を更に備え、判定回路による判定結果に基づいて、前後方向におけるスライダ３５の位置を検出する。
【００６９】
なお、本発明は、この例に限らず、前後方向におけるスライダ３５の位置に応じて、電極６９がいずれかの電極６６に対して選択的に導通するようになっていてもよい。この場合、制御部２２は、電極６９と導通状態となった電極６６がいずれの電極６６であるかに応じて、前後方向におけるスライダ３５の位置を検出する。
【００７０】
本実施形態の場合、制御部２２は、スライダ位置検出部による検出結果に基づいて、銘柄ごとの販売記録を記憶部２６に記憶させるようになっていてもよい。
また、制御部２２は、スライダ位置検出部による検出結果に基づいて、たばこ什器１００からのたばこ商品１１の取り出し個数の過不足をモニタリングするようになっていてもよい。
【００７１】
〔第４実施形態〕
次に、図１４（ａ）及び図１４（ｂ）を用いて第４実施形態を説明する。
図１４（ａ）及び図１４（ｂ）に示すように、本実施形態の場合、マガジン１５は、搭載部３１に対して揺動可能に搭載部３１に設けられている揺動部材７０を備えている。揺動部材７０は、例えば、それぞれ直線状に延在する前側部分７０ａ及び後側部分７０ｂを備えている。揺動部材７０は、前側部分７０ａと後側部分７０ｂとの境界部において折れ曲がった屈曲形状に形成されている。
揺動部材７０は、底板部３３の下面側に配置されており、前側部分７０ａと後側部分７０ｂとの境界部において、軸支部７１により搭載部３１の底板部３３に対して軸支されている。軸支部７１の軸方向は、底板部３３に対して直交する方向、すなわち上下方向である。
揺動部材７０は、軸支部７１を揺動軸として、底板部３３に対して相対的に揺動可能となっている。
更に、本実施形態の場合、たばこ什器１００は、揺動部材７０の揺動を検出するスイッチ７２を備えている。スイッチ７２は、例えば、搭載部３１の前端部と対応する位置に配置されている。なお、スイッチ７２は、搭載部３１に設けられていてもよいし、棚板１３に設けられていてもよい。
【００７２】
図１４（ａ）に示すように、スライダ３５の下部３５ａが軸支部７１よりも後方に位置する状態のときには、例えば、揺動部材７０の前側部分７０ａと後側部分７０ｂとのうち後側部分７０ｂが搭載部３１の一方の側壁３２に沿って前後に延在する。
この状態では、前側部分７０ａの前端部がスイッチ７２から離間しており、スイッチ７２は前側部分７０ａを検出しない。
【００７３】
一方、図１４（ｂ）に示すように、スライダ３５の下部３５ａが軸支部７１よりも前方に移動すると、揺動部材７０の前側部分７０ａが下部３５ａに押されて当該揺動部材７０が軸支部７１を支点として揺動し、前側部分７０ａと後側部分７０ｂとのうち前側部分７０ａが搭載部３１の一方の側壁３２に沿って前後に延在する状態に移行する。
この状態では、前側部分７０ａの前端部がスイッチ７２と重なり、スイッチ７２が前側部分７０ａを検出する。
【００７４】
スイッチ７２による検出信号は、制御部２２に入力される。制御部２２は、スイッチ７２が前側部分７０ａを検出した旨の検出信号が入力されることによって、マガジン１５におけるたばこ商品１１の残個数が所定数以下となった旨を認識する。
本実施形態の場合、スイッチ７２及び制御部２２により、複数の収容領域（マガジン１５）の各々におけるたばこ商品１１の残個数を管理する残個管理部が構成されている。
【００７５】
このように、本実施形態の場合、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６と、前後方向におけるスライダ３５の位置に応じて揺動する揺動部材７０とを備え、残個管理部は、揺動部材７０の揺動を検出する揺動検出部（スイッチ７２、制御部２２）を含んで構成されている。
揺動検出部は、揺動部材７０の揺動を電気的に検出するものである。揺動検出部は、好ましくは、揺動部材７０により押圧される被押圧部と、被押圧部が押圧されたことを検出する押圧検出部と、を含んで構成されている。つまり、揺動検出部は、押圧式のスイッチであることが好ましい。
【００７６】
本実施形態の場合、制御部２２は、スイッチ７２による検出結果に基づいて、銘柄ごとの販売記録を記憶部２６に記憶させるようになっていてもよい。
また、制御部２２は、スイッチ７２による検出結果に基づいて、たばこ什器１００からのたばこ商品１１の取り出し個数の過不足をモニタリングするようになっていてもよい。
【００７７】
〔第５実施形態〕
次に、図１５（ａ）及び図１５（ｂ）を用いて第５実施形態を説明する。
本実施形態の場合、マガジン１５の前面壁１６はフラップ部であり、前傾可能な状態で一対の側壁３２の前端部により保持されている。
【００７８】
図１５（ａ）及び図１５（ｂ）に示すように、前面壁１６は、当該前面壁１６の左端部及び右端部にそれぞれ設けられた左右一対の被軸支突起１６ａと左右一対の被ガイド突起１６ｂとを有する。
ここで、搭載部３１において、前面壁１６を除く部分を、本体部３１ａと称する。
各被軸支突起１６ａは、搭載部３１の左右の側壁３２の前端部にそれぞれ形成されている軸支孔７４にそれぞれ嵌入している。これにより、前面壁１６は、左右の被軸支突起１６ａを揺動支点として本体部３１ａに対して相対的に前傾動作が可能となっている（図１５（ｂ））。
各被ガイド突起１６ｂは、搭載部３１の左右の側壁３２の前端部にそれぞれ形成されている弧状のガイド孔７５に入り込んでいる。これにより、各被ガイド突起１６ｂは、対応するガイド孔７５によってガイドされるようになっている。ガイド孔７５によって被ガイド突起１６ｂがガイドされる範囲（被軸支突起１６ａを中心とする角度範囲）によって、前面壁１６の前傾角度が制限されている。
【００７９】
搭載部３１の先頭位置に搭載されているたばこ商品１１が搭載部３１から取り出される際には、前面壁１６が本体部３１ａに対して相対的に前傾するようになっている（図１５（ｂ））。
たばこ商品１１が搭載部３１から取り出された後は、前面壁１６は、自重により、図１５（ａ）に示す通常の状態、すなわち、起立した状態に復帰する。
【００８０】
前面壁１６は、前傾状態において側壁３２の前端における下端よりも下方に突出する押圧突起１６ｃを有している。
一方、棚板１３の前端部の上面には、前面壁１６が傾斜した際に押圧突起１６ｃにより押圧されるスイッチ７６が設けられている。
スイッチ７６は、押圧突起１６ｃにより押圧される度に、検出信号を制御部２２に出力する。
制御部２２は、スイッチ７６から検出信号が入力されることによって、マガジン１５からたばこ商品１１が取り出されたことを認識する。
【００８１】
本実施形態の場合、スイッチ７６は、取出要求とは異なるマガジン１５からのたばこ商品１１の取り出し動作である誤取出動作を検出する誤取出動作検出部を制御部２２とともに構成する。
また、スイッチ７６は、複数のマガジン１５の各々におけるたばこ商品１１の残個数を管理する残個管理部を制御部２２とともに構成する。この場合、制御部２２は、スイッチ７６から入力される検出信号を計数するようになっている。
【００８２】
このように、本実施形態の場合、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６とを備え、搭載部３１は、複数のたばこ商品１１が搭載される本体部３１ａと、本体部３１ａの前端部に対して揺動可能に設けられていて当該搭載部３１の前面壁１６を構成しているフラップ部とを備え、フラップ部は、搭載部３１の先頭位置に搭載されているたばこ商品１１が当該搭載部３１から取り出される際に本体部３１ａに対して相対的に前傾するようになっており、誤取出動作検出部は、フラップ部の前傾動作を検出する前傾検出部（スイッチ７６及び制御部２２）を含んで構成されている。
前傾検出部は、フラップ部の前傾動作を電気的に検出するものである。前傾検出部は、好ましくは、フラップ部により押圧される被押圧部と、被押圧部が押圧されたことを検出する押圧検出部と、を含んで構成されている。つまり、前傾検出部は、押圧式のスイッチであることが好ましい。
【００８３】
また、本実施形態において、残個管理部は、フラップ部の前傾動作を検出する前傾検出部（スイッチ７６及び制御部２２）を含んで構成されている。
【００８４】
本実施形態の場合、制御部２２は、スイッチ７６による検出結果に基づいて、銘柄ごとの販売記録を記憶部２６に記憶させるようになっていてもよい。
また、制御部２２は、スイッチ７６による検出結果に基づいて、たばこ什器１００からのたばこ商品１１の取り出し個数の過不足をモニタリングするようになっていてもよい。
【００８５】
なお、本実施形態の場合、たばこ什器１００は、上述の測距センサ２９及びスライダ位置検出部を備えていなくてもよい。
【００８６】
〔第６実施形態〕
次に、図１６（ａ）から図１６（ｃ）を用いて第６実施形態を説明する。
本実施形態では、例えば新商品等の新規取扱商品が店舗に入荷した場合などにおいて、新規取扱商品を収容するマガジン１５の候補をたばこ什器１００が案内する例を説明する。
【００８７】
たばこ什器１００は、例えば図１６（ａ）に示すように、オペレータにより操作される操作タブレット８０を備えている。この操作タブレット８０は、銘柄指定情報取得部２７としての機能を兼ねるものであってもよいし、銘柄指定情報取得部２７とは別のものであってもよい。
【００８８】
操作タブレット８０の表示画面８１には、各種の動作モードを選択可能なメニュー画面が表示されるようになっている。
このメニュー画面において選択可能なメニューには、例えば、「新商品収納場所ナビ」というメニューが含まれている。オペレータがメニュー画面において「新商品収納場所ナビ」を選択するタッチ操作を行うと、例えば図１６（ｂ）に示すように、新規のたばこ商品１１を収容するマガジン１５の候補を案内する候補領域案内表示４７が、当該マガジン１５と対応する表示体２０において表示される。
候補領域案内表示４７は、例えば、表示体２０の電子ペーパーの表示色を目立つ色（例えば黄色）にする表示である。
【００８９】
このように、たばこ什器１００は、収容領域（マガジン１５）に新規のたばこ商品１１を収容させる旨の要求である新規収容要求（例えば、「新商品収納場所ナビ」を選択するタッチ操作）を受け付ける新規収容要求受付部（例えば操作タブレット８０）を備え、表示制御部（制御部２２）は、新規収容要求受付部が新規収容要求を受け付けた場合に、新規のたばこ商品１１を収容する収容領域の候補を案内する候補領域案内表示４７を表示体２０に行わせる。
【００９０】
制御部２２は、例えば、以下に説明する判定処理により、候補領域案内表示４７を行う表示体２０の選択を行う。
先ず、制御部２２は、記憶部２６の記憶内容を参照し、収容すべきたばこ商品１１が設定されていない空き状態のマガジン１５が存在するか否かを判定する。
空き状態のマガジン１５が存在する場合、制御部２２は、空き状態のマガジン１５のうちいずれかのマガジン１５と対応する表示体２０において候補領域案内表示４７を行わせる。
一方、空き状態のマガジン１５が存在しない場合、制御部２２は、例えば、販売実績に基づいて、売れ行きが低調な銘柄と対応するマガジン１５を判別及び選定し、当該マガジン１５と対応する表示体２０において候補領域案内表示４７を行わせる。なお、販売実績が所定の閾値以下の銘柄が複数存在する場合は、これら複数の銘柄と対応するマガジン１５の各々と対応する表示体２０において候補領域案内表示４７を行わせてもよい。
【００９１】
更に、例えば、図１６（ｃ）に示すように、表示画面８１において、銘柄の入れ替えを確定するか否かの選択画面が表示される。
例えば、「既存銘柄「ＪＫＬたばこ」を新規銘柄「ＫＬＭたばこ」に入れ替えますか？」との表示と、「確定」及び「今はしない」との選択ボタンが表示される。
オペレータが「確定」を選択操作すると、制御部２２は、これまで「ＪＫＬたばこ」の収納場所であったマガジン１５を「ＫＬＭたばこ」の収納場所として登録する更新処理を行う。すなわち、制御部２２は、記憶部２６の記憶内容の書き換えを行う。更に、制御部２２は、候補領域案内表示４７を終了させる。
一方、図１６（ｃ）の選択画面において、オペレータが「今はしない」を選択操作すると、制御部２２は、記憶部２６の記憶内容の書き換えは行わずに、候補領域案内表示４７を終了させる。
【００９２】
〔第７実施形態〕
次に、図１７を用いて第７実施形態を説明する。
図１７は、ある銘柄のたばこ商品１１が不良品であることを制御部２２が認識した場合に、当該不良品のたばこ商品１１を収容しているマガジン１５と対応する表示体２０において行われる報知表示（不良品情報表示４８）の例を示す正面図である。
例えば、図１７に示すように、不良品情報表示４８として、「不良品」との表示を行うことによって、オペレータに注意喚起し、不良品の販売を抑止できるようにする。
【００９３】
また、オペレータが誤って不良品のたばこ商品１１をマガジン１５から取り出した場合に、その旨が検出されると、制御部２２は、当該たばこ商品１１を販売してはいけないことを、図示しないスピーカからの音声によって報知する。
【００９４】
〔第８実施形態〕
次に、図１８（ａ）及び図１８（ｂ）を用いて第８実施形態を説明する。
本実施形態の場合、たばこ商品１１を取り出すべきでないマガジン１５の前方の表示パネル５０をオペレータが誤って開くことや、たばこ商品１１を補充すべきでないマガジン１５の前方の表示パネル５０をオペレータが誤って開くことを抑制できるように、たばこ什器１００は、以下に説明するロック機構８７を備えている。
【００９５】
ロック機構８７は、銘柄指定情報取得部２７が取得した銘柄指定情報と対応するマガジン１５の前方の表示パネル５０を選択的に開くことを可能にするためのものである。
ロック機構８７は、例えば、係止部材８９と、ソレノイド又はモータ等のロック用アクチュエータ（不図示）と、ロック用アクチュエータから係止部材８９に動力を伝達して係止部材８９を係止位置（図１８（ａ）の位置）と非係止位置（図１８（ｂ）の位置）とに移動させる動力伝達機構（不図示）と、停電時などにおいてオペレータが手動で係止部材８９を非係止位置と係止位置とに移動させるキー操作を行うためのキー差込部８８と、を備えている。
【００９６】
図１８（ａ）に示すように、係止部材８９は、係止位置では、パネル本体５１から突出し、当該係止部材８９の先端部が、側壁１７に形成されている係止孔１９に嵌入するようになっている。係止部材８９が係止位置の状態では、表示パネル５０を開こうとすると係止部材８９が側壁１７に係止され（引っ掛かり）、表示パネル５０を開くことが規制される。
図１８（ｂ）に示すように、係止部材８９は、非係止位置では、パネル本体５１に収まり、当該係止部材８９が係止孔１９から抜けた状態となる。係止部材８９が非係止位置の状態では、表示パネル５０を開く際に係止部材８９が側壁１７に係止されない（引っ掛からない）。
キー差込部８８は、解除キー（不図示）が差し込まれる鍵穴を有している。オペレータが鍵穴に解除キーを差し込んで当該解除キーを回すことにより、係止部材８９を係止位置から非係止位置に移動させたり、非係止位置から係止位置に移動させたりできるようになっている。
なお、ここでは、ロック機構８７が表示パネル５０のパネル本体５１に設けられていてロック状態では係止部材８９がマガジン収容棚１２（例えば側壁１７）に引っ掛かる例を説明したが、ロック機構８７がマガジン収容棚１２に設けられていてロック状態では係止部材８９が表示パネル５０に引っ掛かるようになっていてもよい。
【００９７】
本実施形態の場合、通常時においては、すべての表示パネル５０と対応するロック機構８７の係止部材８９が係止位置にある。そして、銘柄指定情報取得部２７が銘柄指定情報を取得した場合に、制御部２２の制御下でロック用アクチュエータが係止部材８９を移動させることで、銘柄指定情報取得部２７が取得した銘柄指定情報と対応する表示パネル５０を選択的に開くことが可能となる。
【００９８】
〔第９実施形態〕
次に、図１９から図２０（ｃ）を用いて第９実施形態を説明する。
図１９に示すように、本実施形態の場合、たばこ什器１００は、表示パネル５０の代わりにＬＥＤバー８２を備えている。ＬＥＤバー８２は、一方向に長尺に形成されており、水平方向に延在する姿勢で、マガジン収容棚１２の棚板１３の前端部に対して着脱可能に装着されている。
【００９９】
図２０（ａ）及び図２０（ｂ）に示すように、ＬＥＤバー８２は、それぞれＬＥＤ（Ｌｉｇｈｔ  Ｅｍｉｔｔｉｎｇ  Ｄｉｏｄｅ）８４を有する複数のセグメント８５を直列に接続することにより構成されている。本実施形態の場合、各セグメント８５が表示体を構成しており、各セグメント８５は、それぞれマガジン１５と対応付けられている。本実施形態の場合、各セグメント８５はマガジン１５と１対１で対応付けられている。
【０１００】
各セグメント８５は、隣のセグメント８５と相互に電気的及び機械的に接続するため、雌コネクタ８６ａ又は雄コネクタ８６ｂの一方又は両方を備えている。
例えば、ＬＥＤバー８２の一端部を構成するセグメント８５ａは、雌コネクタ８６ａと雄コネクタ８６ｂとのうち雄コネクタ８６ｂのみを備え、ＬＥＤバー８２の他端部を構成するセグメント８５ｃは、雌コネクタ８６ａと雄コネクタ８６ｂとのうち雌コネクタ８６ａのみを備え、残りのセグメント８５ｂは、雌コネクタ８６ａと雄コネクタ８６ｂとの両方を備えている。
図２０（ｂ）に示すように、雄コネクタ８６ｂを有するセグメント８５の雄コネクタ８６ｂが、隣のセグメント８５の雌コネクタ８６ａに対して接続されることによって、複数（例えば５つ）のセグメント８５が直列に接続されている。
この状態で、隣り合うセグメント８５の一方から他方へと電力を供給可能となっているとともに、制御部２２からの制御信号を隣り合うセグメント８５の一方から他方へと伝達可能となっている。
【０１０１】
また、ＬＥＤバー８２の両端のセグメント８５（セグメント８５ａ、８５ｃ）には、それぞれマガジン収容棚１２の側壁１７が備える図示しないコネクタ部と電気的に接続される端部コネクタ８６ｃを備えている。ＬＥＤバー８２が棚板１３に装着された状態において、端部コネクタ８６ｃが側壁１７のコネクタ部と接続されるように、端部コネクタ８６ｃの配置が設定されている。
側壁１７のコネクタ部は、図示しない配線を介して制御部２２と接続されている。制御部２２からの制御信号は、配線と側壁１７のコネクタ部とを介して、ＬＥＤバー８２の一端部のセグメント８５（例えばセグメント８５ａ）の端部コネクタ８６ｃに入力されるようになっている。
制御部２２の制御下で、各セグメント８５のＬＥＤ８４の点灯の制御を個別に行うことができるようになっている。
【０１０２】
更に、図２０（ａ）から図２０（ｃ）に示すように、各セグメント８５は、例えば、後方に突出する上下一対の固定用係合部８６ｅを備えている。図２０（ｃ）に示すように、セグメント８５を後方に押し込むことによって、棚板１３の前端部が一対の固定用係合部８６ｅ間に嵌入されて、セグメント８５が棚板１３に対して着脱可能に装着されている。
すなわち、ＬＥＤバー８２は、マガジン収容棚１２に対して着脱可能である。ＬＥＤバー８２がマガジン収容棚１２に装着された状態において、各セグメント８５は、対応するマガジン１５の前方に配置される。
【０１０３】
本実施形態の場合、ＬＥＤ８４を点灯させたり点滅させたりすることによって、取出報知表示、誤取出報知表示又は補充報知表示といった特定報知表示が可能となっている。
なお、ＬＥＤ８４は、単色発光のものであってもよいし、複数色で発行可能なものであることも好ましい。更には、ＬＥＤ８４は、１つ又は複数の７セグメントのＬＥＤを含んでいることも好ましく、このようにすることによって、レジ番号の表示報知や取り出すべきたばこ商品１１の個数の表示報知も可能となる。
【０１０４】
このように、本実施形態の場合、複数の収容領域（マガジン１５）が上下方向及び水平方向にそれぞれ複数列のアレイ状に配置されており、個々の収容領域と対応して設けられた複数の表示体（本実施形態の場合、セグメント８５）を備え、複数の表示体の各々は、発光部材（例えばＬＥＤ８４）を含んで構成されている。そして、水平方向に隣り合う表示体どうしが相互に電気的及び機械的に接続されて一体の表示体群（ＬＥＤバー８２）を構成している。
なお、本発明において、表示体が備える発光部材は、ＬＥＤに限らず、その他の発光部材であってもよい。
【０１０５】
また、表示体群（ＬＥＤバー８２）の一端に位置する表示体（例えばセグメント８５ａ）から隣の表示体（セグメント８５）へ順次給電されるようになっている。
また、本実施形態に係るたばこ什器１００は、複数の収容領域（マガジン１５）を有する収容棚（マガジン収容棚１２）を備え、表示体群（ＬＥＤバー８２）は収容棚に対して着脱可能である。
【０１０６】
また、表示体群（ＬＥＤバー８２）に含まれる表示体（セグメント８５）のうち水平方向において隣り合う表示体どうしは、雌コネクタ８６ａ及び雄コネクタ８６ｂにより相互に着脱可能である。このため、棚板１３の横幅寸法（及び当該棚板１３に横並びに搭載されるマガジン１５の数）に応じて、ＬＥＤバー８２を構成するセグメント８５の数を容易に増減させることができる。すなわち、セグメント８５ｂの数を増減させることによって、ＬＥＤバー８２を構成するセグメント８５の数を変更することができる。
【０１０７】
また、本実施形態に係る表示体（セグメント８５）は、それぞれ複数のたばこ商品１１をオペレータにより取り出し可能に収容する複数の収容領域（例えば複数のマガジン１５）と、複数の収容領域を保持しているか又は複数の収容領域を有している収容棚（マガジン収容棚１２）とを備え、複数の収容領域が上下方向及び水平方向にそれぞれ複数列のアレイ状に配置されているたばこ什器（この場合、マガジン什器６０）に着脱可能に装着される表示体であって、水平方向に隣り合う複数の表示体どうしが相互に電気的及び機械的に接続されて構成された表示体群（ＬＥＤバー８２）の形態となって、収容棚に対して着脱可能である。
【０１０８】
本実施形態の場合、表示体（セグメント８５）は、表示制御部（制御部２２）の制御下で、複数の収容領域のうち当該表示体と対応する収容領域を特定しうる態様で表示動作を行う。
【０１０９】
なお、たばこ什器１００は、図１９に示すように、マガジン什器６０の天面に搭載されたカートンストッカ９２を備えていてもよい。
たばこ商品１１は、一般的に、同一銘柄の複数のたばこ商品１１がまとめて包装されてなる所謂カートンの形態で流通する。一般的には、カートンには、１０個のたばこ商品１１がひとまとめに包装されている。カートンは、パーセルとも称される。
カートンストッカ９２は、カートンを保管するための保管庫であり、複数銘柄のたばこ商品１１とそれぞれ対応するカートンを、オペレータにより取り出し可能に収容している。
【０１１０】
〔第１０実施形態〕
次に、図２１及び図２２を用いて第１１実施形態を説明する。
本実施形態では、コンビニエンスストアなどの店舗に来店するユーザの携帯端末装置９０からたばこ什器１００の銘柄指定情報取得部２７が自動的に銘柄指定情報を取得し、たばこ什器１００の表示体２０において表示（特定報知表示９１）を行う例を説明する。
【０１１１】
携帯端末装置９０とたばこ什器１００との間の通信の方式は、特に限定されないが、例えば、ブルートゥース（登録商標）などの近距離無線通信であることが挙げられる。
携帯端末装置９０の記憶部（不図示）には、予め、ユーザによって、当該ユーザが普段喫煙する銘柄（主喫銘柄）の情報が登録されている。
更には、たばこ什器１００が設定された店舗においてユーザの主喫銘柄が販売されている場合に、当該主喫銘柄のたばこ商品１１の場所を報知する特定報知表示９１を行うか否かの設定操作をユーザが携帯端末装置９０に対して予め行っているものとする。
【０１１２】
特定報知表示９１を行う設定をユーザが選択している場合、当該ユーザが携帯端末装置９０を所持して来店すると、たばこ什器１００の銘柄指定情報取得部２７は、自動的に携帯端末装置９０との間で近距離無線通信を行い、当該ユーザの主喫銘柄の情報を銘柄指定情報として取得する。
その結果、図２１に示すように、ユーザの主喫銘柄を収容しているマガジン１５と対応する表示体２０において、特定報知表示９１が行われる。
このため、ユーザは、たばこ什器１００において特定報知表示９１が行われていることを認識できる。よって、ユーザの購買意欲を向上させることができる。
【０１１３】
なお、携帯端末装置９０とたばこ什器１００との間の近距離無線通信は、例えば、携帯端末装置９０の電源がオンである場合とオフである場合とのいずれの場合においても行われる。
【０１１４】
また、特定報知表示９１を行う設定を各自の携帯端末装置９０に対して行っている複数のユーザが来店した場合には、各ユーザの主喫銘柄を各ユーザが遠目でも容易に認識できるように、ユーザ毎の表示態様で特定報知表示９１を行うようになっていることも好ましい。
一例として、各ユーザが選択した絵柄（例えば、自分の好みの果物、動物、その他のキャラクタ）の画像を含む特定報知表示９１や、各ユーザが選択した投影色での特定報知表示９１を行うことが挙げられる。
図２２の例では、携帯端末装置９０ａのユーザと携帯端末装置９０ｂのユーザとの２人のユーザが同一店舗に来店し、携帯端末装置９０ａにおいて設定されている画像（例えばパイナップルの画像）を含む特定報知表示９１ａと、携帯端末装置９０ｂにおいて設定されている画像（例えば、ぶどうの画像）を含む特定報知表示９１ｂと、が並列的に行われている。
【０１１５】
なお、上記の第１０実施形態では、銘柄指定情報取得部２７が銘柄指定情報を携帯端末装置９０から取得する例を説明したが、銘柄指定情報取得部２７は、例えば、たばこ商品１１のメーカーが管理するサーバ装置（不図示）から銘柄指定情報を取得してもよい。
この場合、銘柄指定情報取得部２７は、例えば、ユーザの識別情報（ＩＤ情報）のみを携帯端末装置９０から取得し、この識別情報と対応する主喫銘柄の情報（銘柄指定情報）をサーバ装置から取得する。
また、特定報知表示９１を行う設定をユーザが選択しているか否かを示す情報についても、銘柄指定情報取得部２７がサーバ装置から取得してもよい。
【０１１６】
〔第１１実施形態〕
次に、図２３から図２６を用いて第１１実施形態を説明する。
本実施形態の場合も、たばこ什器１００は、それぞれ収容領域を構成する複数のマガジン１５と、マガジン１５が搭載される棚板１３を有するマガジン什器６０（収容棚）と、を備えている。
図２３に示すように、本実施形態の場合、たばこ什器１００は、表示パネル５０を備えていない。
その代わりに、図２４に示すように、たばこ什器１００は、マガジン収容棚１２におけるマガジン１５よりも後方の位置に配置された光源９６と、棚板１３に設けられていて光源９６から出力された光りを棚板１３の前端面に向けて導く導光板９７（導光部材）と、を備えている。
棚板１３の前端面には、導光板９７を介して導かれた光を拡散させて棚板１３の前方に出力する表示テープ１１１が設けられている。
本実施形態の場合、表示体は、光源９６と導光板９７とを備えて構成されており、導光板９７を介して導かれた光を利用して、棚板１３の前端面において表示動作を行う。
制御部２２は、各光源９６の発光動作を個別に制御する。
【０１１７】
個々のマガジン１５と対応して導光板９７が配置されており、各導光板９７と対応してＬＥＤ等の光源９６が配置されている。
より詳細には、導光板９７は、前後に長尺な板状のものであり、水平に配置されている。棚板１３の前端面において、各マガジン１５の下側に位置する部位の後方近傍に、対応する導光板９７の前端面が配置されている。また、各導光板９７の後端近傍に、対応する光源９６が配置されている。
【０１１８】
一例として、  図２３に示すように、マガジン什器６０は、複数段（例えば７段）の棚板１３を有しており、各段の棚板１３には、互いに横並びに複数（例えば８つ）のマガジン１５が搭載され、正面視において、複数のマガジン１５がマトリクス状に配置されるようになっている。複数のマガジン１５が棚板１３上に横並びに搭載された状態で、各マガジン１５は等間隔に配置されるようになっている。また、一例として、図２５に示すように、たばこ什器１００は、互いに横並びに配置される複数（例えば４つ）のマガジン什器６０を備えている。
なお、本実施形態において、収容領域は、マガジン１５に限らず、引き出しなどであってもよい。すなわち、たばこ什器１００は、複数の収容棚（マガジン什器６０）を備え、複数の収容棚の各々は、複数の収容領域を保持しているか又は複数の収容領域を有している（本実施形態の場合、複数のマガジン１５を保持している）。
【０１１９】
本実施形態の場合、制御部２２（表示制御部）は、銘柄指定情報と対応する収容領域（マガジン１５）を特定しうる態様での表示動作として、大まかな領域の報知表示である第１報知表示と、より詳細な領域の報知表示である第２報知表示と、を行わせる。
【０１２０】
より詳細には、第１報知表示は、複数の収容棚（マガジン什器６０）のうち特定の収容棚（例えば、一番左側のマガジン什器６０）を報知する表示である。図２５の例では、第１報知表示として、銘柄指定情報と対応するマガジン１５が４つのマガジン什器６０のうち一番左側のマガジン什器６０に配置されていることを報知するための発光表示を行う例を示す。図２５の例では、一番左側のマガジン什器６０の上から３段目の棚板１３に設けられているすべての導光板９７の奥に配置されている光源９６を発光させ、棚板１３の前端面の表示テープ１１１を帯状に発光させている。これにより、オペレータは、銘柄指定情報と対応するマガジン１５が一番左側のマガジン什器６０に配置されていることを速やかに認識することができる。
【０１２１】
また、第２報知表示は、第１報知表示により報知される収容棚（例えば、一番左側のマガジン什器６０）の複数の収容領域（マガジン１５）のうち特定の収容領域（例えば、上から４段目の左から４つ目のマガジン１５）を報知する表示である。よって、オペレータは、銘柄指定情報と対応するマガジン１５の位置を速やかに認識することができる。
より詳細には、すなわち、第２報知表示では、導光板９７を介した発光によって、銘柄指定情報と対応するマガジン１５を上下から挟むような表示動作を行う。よって、オペレータは、銘柄指定情報と対応するマガジン１５の位置を一層速やかに認識することができる。
【０１２２】
このように、たばこ什器１００は、それぞれ収容領域を構成する複数のマガジン１５と、マガジン１５が搭載される棚板１３を有する収容棚（マガジン什器６０）とを備え、収容棚には、複数のマガジン１５が上下方向及び水平方向にそれぞれ複数列のアレイ状に配置されており、棚板１３の前端面において、個々のマガジンと対応する位置において表示動作が可能に、複数の表示体（導光板９７及び光源９６により構成されている）が設けられている。
そして、表示制御部（制御部２２）は、銘柄指定情報と対応する収容領域（マガジン１５）を特定しうる態様での表示動作として、銘柄指定情報と対応するマガジン１５を上下から挟む一対の表示体を用いた表示動作を行わせる。
【０１２３】
更に、マガジン什器６０は、当該マガジン什器６０に搭載される各列のマガジン１５と対応する位置に、それぞれ第２表示部１１４を有する。
例えば、マガジン什器６０の上から３段目の棚板１３の下部には、左右に長尺な表示パネル１１３が設けられており、この表示パネル１１３に複数（例えば８つ）の第２表示部１１４が設けられている。
第２表示部１１４は、例えば、７セグメントのＬＥＤを複数備えて構成されている。
本実施形態の場合、制御部２２は、購買数の表示動作と、取り出すべきたばこ商品１１が複数の販売端末のうちいずれの販売端末での販売用であるかを示す情報の表示動作と、を第２表示部１１４に行わせる。
例えば、図２５に示すように、「０２」、「１」との表示報知を行うことによって、複数の販売端末のうち１番レジを担当する店員は、第２報知表示と対応するマガジン１５から２個のたばこ商品１１を取り出して販売する業務が自分の担当業務であることを容易に認識することができる。
制御部２２は、各第２表示部１１４の表示動作を制御する。
より詳細には、制御部２２は、銘柄指定情報と対応するマガジン１５と同じ列の第２表示部１１４（当該マガジン１５と上下に並ぶ第２表示部１１４）において、上述した表示報知を行わせる。このため、オペレータは、第２報知表示と第２表示部１１４における表示報知との双方を速やかに確認し、内容を認識することができる。
【０１２４】
なお、複数の販売端末において互いに重複するタイミングで複数のたばこ商品１１の注文が入った場合であって、且つ、それらたばこ商品１１がたばこ什器１００の同じ列に配置されている銘柄であった場合、先ず、先に注文が入った方のたばこ商品１１について、第２報知表示と第２表示部１１４による表示報知とを行う。その後、先に注文が入った方のたばこ商品１１が取り出されると、引き続き、後で注文が入った方のたばこ商品１１について、第２報知表示と第２表示部１１４による表示報知とを行う。
一方、複数の販売端末において互いに重複するタイミングで複数のたばこ商品１１の注文が入った場合であって、且つ、それらたばこ商品１１がたばこ什器１００の互いに異なる列に配置されている銘柄であった場合、それらたばこ商品１１についての第２報知表示と第２表示部１１４による表示報知とを（場合によっては、第１報知表示、第２報知表示及び第２表示部１１４による表示報知を）並行して行うことができる。
【０１２５】
マガジン什器６０は、マガジン１５が棚板１３上の所定の基準位置に配置されている場合にマガジン１５の後面壁３４を検出する検出センサ９３（図２６）を備えている。
検出センサ９３は、例えば、棚板１３の後端部に搭載されている制御ボックス１１０（図２４）内に設けられている。
制御ボックス１１０の前方には、制御ボックス１１０の配置領域と、当該配置領域よりも前方の、マガジン１５の配置領域と、を相互に仕切る仕切板９８が立設されている。仕切板９８は、例えば、平板状に形成されており、その板面が前後を向いている。
制御ボックス１１０には、例えば、揺動式のレバー９４が設けられており、レバー９４は、仕切板９８に形成された開口を介して前方に突出している。
図２４のようにマガジン１５が棚板１３上の所定の基準位置に配置されているときには、マガジン１５の後面壁３４によりレバー９４が後方に押された状態となる。検出センサ９３は、レバー９４が後方に押されているか否かを検出するものである。検出センサ９３による検出結果は、制御部２２に入力されるようになっている。
【０１２６】
制御部２２は、検出センサ９３によりレバー９４の押圧が検出されない非検出状態となると、マガジン１５が所定の基準位置から他の位置に移動したと認識する。また、制御部２２は、検出センサ９３によりレバー９４の押圧が検出される検出状態となると、マガジン１５が所定の基準位置に復帰したと認識する。
更に、制御部２２は、検出センサ９３による検出の履歴を記憶部２６に記憶させる。すなわち、制御部２２は、基準位置から他の位置へのマガジン１５の移動の履歴、及び、他の位置から基準位置へのマガジン１５の移動（復帰）の履歴を、それぞれ記憶部２６に記憶させる。
【０１２７】
このように、たばこ什器１００は、それぞれ収容領域を構成する複数のマガジン１５と、マガジン１５が搭載される棚板１３を有する収容棚（マガジン什器６０）と、マガジン１５が棚板１３上の基準位置から他の位置に移動したこと、及び、マガジン１５が基準位置に復帰したことを検出するマガジン移動検出部（例えば、検出センサ９３、レバー９４及び制御部２２により構成される）と、マガジン移動検出部による検出の履歴を記憶保持する履歴情報記憶部（記憶部２６）と、を備える。
よって、たばこ什器１００の管理者は、例えば、たばこ商品１１の銘柄及び購買数の指定操作が行われていないにもかかわらず、マガジン１５が基準位置から他の位置に移動したことなどを認識することができる。
【０１２８】
たばこ什器１００は、更に、スピーカ等の図示しない報知部を備えている。制御部２２は、マガジン１５が基準位置から他の位置に移動した場合や、基準位置から他の位置に移動した後、基準位置に復帰する前に所定条件が成立した場合に、報知部に報知動作を行わせる。所定条件の成立とは、例えば、所定時間（例えば、１分間など）の経過である。
このように、たばこ什器１００は、マガジン１５が基準位置から他の位置に移動したことを報知するマガジン移動報知部を更に備える。
よって、マガジン１５が基準位置以外の位置に移動した場合や、基準位置へのマガジン１５の仕舞い忘れが生じた場合に、その旨をオペレータに報知することができる。
【０１２９】
後面壁３４の背面には、磁石９９が貼り付けられている。また、仕切板９８は、ステンレスなどの磁性体により構成されている。
マガジン１５が基準位置に配置された状態では、磁石９９が仕切板９８に対して磁力で吸着し、マガジン１５が基準位置に安定的に配置されるようになっている。
【０１３０】
本実施形態の場合、測距センサ２９も制御ボックス１１０に設けられている。仕切板９８において、測距センサ２９の前方の部分には開口が形成されており、測距センサ２９は、仕切板９８の開口を介して検出動作を行う。
ここで、測距センサ２９による検出動作を常時行うと、消費電力が増大するとともに、測距センサ２９の劣化も早まる。このため、マガジン１５からのたばこ商品１１の取出要求が発生した場合に、測距センサ２９による検出動作を一時的にアクティブ（検出状態）にし、その後、所定の終了条件（例えば、１分間経過するなどのように、所定時間が経過すること）が成立した場合に、当該検出動作を非アクティブ（検出停止状態）にする。
このように、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６と、を備え、たばこ什器１００は、搭載部３１におけるたばこ商品１１の個数、又は、当該個数の増減を検出する残個数検出部（例えば、測距センサ２９及び制御部２２により構成されている）を備えている。すなわち、残個数検出部は、スライダ３５の後方に設けられていて、スライダ３５との距離又は最後尾のたばこ商品１１との距離を検出する測距センサ２９を含んで構成されている。
そして、マガジン１５からのたばこ商品１１の取出要求が発生した場合に、残個数検出部は、測距センサ２９による検出動作を一時的にアクティブ（検出状態）にし、その後、所定の終了条件が成立した場合に、当該検出動作を非アクティブ（検出停止状態）にする。
このようにすることによって、たばこ什器１００の消費電力を低減できるとともに、測距センサ２９の耐用期間を長くすることができる。
【０１３１】
より詳細には、測距センサ２９による検出動作は、以下に説明するように、段階的に行うようにしてもよい。
すなわち、マガジン１５からのたばこ商品１１の取出要求が発生した場合に、測距センサ２９による検出動作の初期段階では、マガジン１５における個数の正確な検出までは行わず、単に、個数の変動の有無だけを検出する。個数が変動したことを検出した場合、搭載部３１におけるたばこ商品１１の個数を正確にカウントするための詳細な検出を行う。
このようにすることによって、マガジン１５の動作が（スライダ３５の動作）が安定した後で、搭載部３１におけるたばこ商品１１の個数を正確にカウントすることができる。
また、所定の終了条件が、所定時間が経過である場合、取出要求に基づいて取り出すべきたばこ商品１１の個数が多いほど、所定時間が長くなるようになっていることも好ましい。
【０１３２】
ここで、オペレータが、いずれかの収容領域（マガジン１５）へのたばこ商品１１の補充作業を行う際には、表示制御部（制御部２２）は、補充作業中の収容領域（マガジン１５）については、たばこ商品１１の取出要求に基づく表示動作を行わないようになっている。補充作業が完了して、マガジン１５が基準位置に戻されると、制御部２２は、検出センサ９３による検出結果に基づいてその旨を認識する。よって、当該マガジン１５について、再び、たばこ商品１１の取出要求に基づく表示動作を実行可能な状態となる。
その一方で、補充作業中の収容領域（マガジン１５）の他の収容領域（マガジン１５）については、たばこ商品１１の取出要求に基づく表示動作を行う。
つまり、補充作業中のマガジン１５以外については、取出要求に基づく表示動作を実行可能な状態が継続されるので、たばこ商品１１の販売機会を極力損なわないようにすることができる。
【０１３３】
図２４に示すように、本実施形態の場合、マガジン１５の前面壁１６すなわちフラップ部は、マガジン１５に搭載されるたばこ商品１１の全体を正面視において実質的に覆い隠すような寸法に形成されている。
また、図２３及び図２５に示すように、隣り合うマガジン１５の前面壁１６どうしは、実質的に隙間無く互いに近接して配置されている。また、マガジン１５の前面壁１６の上縁と一段上の棚板１３（又は天板１１２）の下縁との間隙は、指が入る程度の狭い間隙となっている。
なお、オペレータは、前面壁１６と１つ上の段の棚板１３（又は天板１１２）との間隙に指を入れて前面壁１６を前傾させ、マガジン１５からたばこ商品１１を容易に取り出すことができるようになっている。
【０１３４】
図２４に示すように、搭載部３１の本体部３１ａは、底板部３３の左右両側縁部から下方に突出している突出片３３ｂを有する。突出片３３ｂは、側壁３２の下縁よりも下方に突出している。突出片３３ｂは、例えば、板面が左右方向を向く平板状に形成されている。例えば、突出片３３ｂは、本体部３１ａの左縁部と右縁部との各々において前後２箇所ずつ形成されている。突出片３３ｂは、棚板１３に対するマガジン１５の位置決めに用いられる。
棚板１３の上面には、マガジン１５の突出片３３ｂを差し込み可能な形状の位置決め穴１３ａが、各突出片３３ｂと対応する位置にそれぞれ形成されている。
マガジン１５が基準位置に搭載された状態で、各突出片３３ｂが、それぞれ対応する位置決め穴１３ａ内に差し込まれるようになっている。
これにより、各マガジン１５を、水平方向に位置決めされた状態で棚板１３上に搭載することができる。
【０１３５】
〔第１２実施形態〕
次に、図２７（ａ）及び図２７（ｂ）を用いて第１２実施形態を説明する。
本実施形態の場合、棚板１３の位置決め穴１３ａは、後部においてはマガジン１５の突出片３３ｂと同等の幅寸法に形成されており、前部においては幅広に形成されている。
また、位置決め穴１３ａにおいて、前部と後部との間の中間部は、後方に向けてテーパー状に幅狭となる形状に形成されている。
このため、マガジン１５を棚板１３上に配置する際に、横方向においてマガジン１５が多少位置ズレしていたとしても、マガジン１５の各突出片３３ｂを容易に各位置決め穴１３ａの前部に落とし込むことができる（図２７（ａ）参照）。その後、マガジン１５を後方に押し込むことによって、各突出片３３ｂを各位置決め穴１３ａの中間部によりセンタリングし、各突出片３３ｂを位置決め穴１３ａの後部に誘導することができる（図２７（ｂ）参照）。
よって、マガジン１５を棚板１３の所定位置に容易に搭載することができる。
【０１３６】
以上、図面を参照して実施形態を説明したが、これは本発明の例示であり、上記以外の様々な構成を採用することもできる。
【０１３７】
上記の各実施形態では、たばこ什器１００がマガジン什器６０を備え、収容領域がマガジン１５である例を説明したが、たばこ什器１００は、それぞれ複数のたばこ商品１１を収容可能な複数の引出を有する引出棚であってもよい。この場合、引出の各々が収容領域を構成し、表示体は、引出の前面に設けられる。
また、たばこ什器１００は、天吊り式の什器であってもよい。
【０１３８】
また、上記においては、購買者が購買しようとするたばこ商品１１の個数を店員が銘柄指定情報取得部２７に入力する例を説明したが、本発明は、この例に限らず、単に、店員が購買者から口頭で個数を聞き取り、聞き取った数のたばこ商品１１を店員が収容領域から取り出すようにしてもよい。
【０１３９】
また、購買者自身がたばこ商品の銘柄を指定する操作を行うようになっていてもよい。この場合、例えば、購買者がタッチパネルを操作することにより、購買しようとするたばこ商品１１の種類を選択する。すなわち、購買者が、タッチパネルに対する操作によって、たばこ商品を購買することを選択し、更に、タッチパネルに表示される銘柄リストの中から選択操作を行うことによって、たばこ什器１００から取り出す銘柄の指定を行う。この場合も、銘柄の指定操作が行われると、指定されたたばこ商品１１が収容されているマガジン１５と対応する表示体２０において、取出報知表示３８が行われる。よって、店員は、たばこ商品１１を取り出すべきマガジン１５の位置を認識することができるので、当該マガジン１５からたばこ商品１１を取り出して、販売処理を行うことができる。なお、取出報知表示３８に従ってマガジン１５からたばこ商品１１を取り出す作業は、購買者自身が行うようになっていてもよい。
また、購買者がたばこ商品１１の銘柄を指定する場合も、マイクに向けて購買者が銘柄名を音声入力することによって、銘柄の指定が可能であってもよい。この場合も、銘柄の指定が行われると、指定されたたばこ商品１１が収容されているマガジン１５と対応する表示体２０において、取出報知表示３８が行われる。つまり、指定されたたばこ商品１１が収容されているマガジン１５と対応する表示体２０を目立たせる制御が行われる。
このように、銘柄指定情報取得部２７は、購買者により入力（例えば、選択操作による入力又は音声入力）される銘柄指定情報を取得するようになっていてもよい。
また、購買者がたばこ商品の銘柄を指定する操作は、購買者がたばこ商品１１のバーコードをバーコードリーダにかざして、当該バーコードをバーコードリーダに読み取らせる操作であってもよい。
【０１４０】
また、たばこ什器１００が備える表示装置の表示画面（例えば、操作タブレットなどが備えるタッチパネル式の操作画面）において、例えば図２８に示すように、たばこ什器１００の各マガジン１５に収容されているたばこ商品１１の画像等を、たばこ什器１００における各マガジン１５の配列と対応する（同じ）配列で表示するようにしてもよい。すなわち、たばこ什器１００は、例えば、表示装置と、図２８に示すような画像表示を表示装置に行わせる表示装置用表示制御部と、を備えている。
更に、例えば、第１０実施形態のようにたばこ什器１００の銘柄指定情報取得部２７がユーザの携帯端末装置９０から自動的に銘柄指定情報を取得した場合に、図２８に示す操作画面において、取得した銘柄指定情報と対応する銘柄のたばこ商品１１の位置を表示報知するようにしてもよい。この場合も、購買客又は店員は、銘柄指定情報と対応するたばこ商品１１の購買操作又は販売処理を容易に行うことができる。
【０１４１】
また、ユーザの携帯端末装置９０を用いた操作によって、操作タブレットのタッチパネル式の操作画面に対する選択操作を行って、購買するたばこ商品１１を選択することが可能となっていたり、購買するたばこ商品１１の収容位置の報知を行わせることが可能となっていたりしてもよい。
【０１４２】
また、各種のたばこ商品１１とそれぞれ対応する複数種類のダミーカードを販売カウンタなどに設けられたダミーカードホルダに設置しておき、購買者が、自身が購買しようとするたばこ商品１１と対応するダミーカードをダミーカードホルダから選び取り、ダミーカードから銘柄指定情報を読み取らせることで、銘柄の指定が可能となっていてもよい。
この場合、ダミーカードには、例えば、対応するたばこ商品１１の銘柄指定情報等を記憶保持しているＲＦＩＤ（Ｒａｄｉｏ  Ｆｒｅｑｕｅｎｃｙ  Ｉｄｅｎｔｉｆｉｃａｔｉｏｎ）チップが搭載されている。ダミーカードのＲＦＩＤチップに記憶保持されている情報は、たばこ什器１００が備えるＲＦＩＤリーダによって読み取られる。
また、ダミーカードホルダからダミーカードが抜き取られた（移動した）ことの履歴情報を管理することにより、例えば、ダミーカードホルダからダミーカードが移動した場合に、当該ダミーカードと対応するたばこ商品１１が実際に購買されたか、又は実際には購買されなかったか、といった結果と対応付けてデータ管理を行うことができる。これにより、顧客の購買行動の情報収集及び管理が可能となる。
【０１４３】
例えば、各表示体２０は、電子ペーパーを含んで構成されている。そして、上記のように、通常時においては、各マガジン１５（収容領域）に収容されているたばこ商品１１と対応する通常表示を当該マガジン１５と対応する表示体２０に行わせ、銘柄指定情報を取得した場合には、当該銘柄指定情報と対応するマガジン１５と対応する表示体２０において、通常表示とは異なる態様での特定報知表示を行わせる。この場合に、通常表示は、無色の表示（電子ペーパーへの電力供給がＯＦＦとなっている状態）としてもよい。また、通常表示を行うとき以外のとき（例えば、成人認証を経てたばこ商品１１の注文が入った場合）には、個々の表示体２０又は複数の表示体２０の集合体において、広告表示やキャンペーン情報の表示などの各種の情報表示を行うようにしてもよい。
【０１４４】
また、たばこ什器１００を構成するマガジン収容棚１２としては、様々なサイズ又は形状のものが準備されており、店舗の設置スペースに応じて選択的に組み合わせて用いることができるようになっていてもよい。
より詳細には、マガジン収容棚１２としては、横幅方向に並んで配置可能なマガジン１５の個数が異なるとともに互いに幅寸法が異なる複数種類のもの、互いに高さ寸法が異なるとともに棚板１３の段数が互いに異なる複数種類のもの、及び、互いに奥行き寸法が異なる複数種類のもの、などが準備されており、これらの中から複数のマガジン収容棚１２を選択的に組み合わせて用いることができる。このようにすることによって、たばこ什器１００のレイアウトの自由度が向上するので、個々の店舗の設置スペースに応じて、たばこ什器１００の全体の幅寸法や高さ寸法を最適化したレイアウトを実現することができる。
更に、複数のマガジン収容棚１２の組み合わせが選択されることにより、各マガジン１５に収容されているたばこ商品１１の銘柄を示す情報（記憶部２６に記憶されている情報）が更新されることが好ましい。
互いに隣り合って配置されるマガジン収容棚１２は、互いに接した状態で配置されてもよいし、店舗内に設置されている柱を間に挟んで設置されてもよい。また、店舗内において、天井面又は壁から突出した梁がある場合に、その梁を避けるように、局所的に低背のマガジン収容棚１２を選択して設置することもできる。複数のマガジン収容棚１２は、横並びに配置することに限らず、積み重ねて配置することが可能であってもよい。
また、互いに隣り合って配置される複数のマガジン収容棚１２どうし、並びに、互いに積み重ねて配置される複数のマガジン収容棚１２どうしを連結するため、各マガジン収容棚１２の側壁１７、天面部、又は底板部は、連結機構を備えていてもよい。
【０１４５】
また、制御部２２において、たばこ什器１００の使用状況や、たばこ什器１００の各部品の劣化状況を随時管理するようになっていてもよい。
例えば、たばこ什器１００の部品（一例として、表示体）の交換時期が到来したと制御部２２が判定した場合、例えば、「この表示体を交換して下さい  ０１２０−ＸＸＸ−ＸＸＸ」とのパーツ交換情報表示の表示を行う。オペレータは、パーツ交換情報表示に含まれる電話連絡先に電話することによって、部品の交換サービスを受けることができる。
【０１４６】
また、例えば、複数の店舗のたばこ什器１００がネットワーク経由で図示しないサーバ装置と通信接続されていて、サーバ装置が各種の情報（販売記録など）を随時収集するような場合が想定できる。このような場合に、ネットワークの遮断等の障害が発生した際には、例えばいずれかの表示体において、通信障害が発生した旨の報知表示などを行うようになっていてもよい。
【０１４７】
また、上記の第１実施形態では、表示パネル５０の軸部５２がマガジン収容棚１２に対して直に取り付けられる例を説明したが、例えば、マガジン収容棚１２（例えば側壁１７）に対して着脱可能に装着される左右一対の装着部材に対して、表示パネル５０の軸部５２が軸支されるようになっていてもよい。このようにすることによって、表示体２０を有する表示パネル５０を、既存のマガジン収容棚１２に対して容易に装着することができる。
【０１４８】
また、たばこ什器１００は、表示体として、個々の収容領域からのたばこ商品１１の取り出し側とは反対側に配置された、複数の反対側表示体を備えていてもよい。この場合、表示制御部（制御部２２）は、銘柄指定情報取得部２７が取得した銘柄指定情報と対応する収容領域と対応する反対側表示体に表示動作を行わせる。
例えば、上記第１実施形態において、マガジン什器６０は、販売カウンタに設置される所謂フロント什器であるとともに、表示体２０は、各マガジン１５の後面壁３４、又は、マガジン収容棚１２の後部壁１４において各マガジン１５の後方に位置する部分（つまり、販売カウンタで接客を受ける購買客側）に設けられている。そして、制御部２２は、例えば、各表示体２０において、購買客向けの各種の表示を行わせる。一例として、制御部２２は、銘柄指定情報取得部２７が取得した銘柄指定情報と対応するマガジン１５に収容されているたばこ商品１１と対応するキャンペーンへの参加用の識別情報（例えばＱＲコード（登録商標））などの表示を、当該マガジン１５と対応する反対側表示体である表示体２０において選択的に行わせる。また、反対側表示体である表示体２０では、たばこ商品１１の価格や銘柄名などのような、プライスカードの代替となる表示を行うようにしてもよい。
この場合、第１実施形態と同様にマガジン１５の前面側（つまり店員側）にも表示体２０が配置されていて、前面側の表示体２０では第１実施形態と同様の報知表示を行うようになっていてもよいし、マガジン１５の前面側には表示体２０が配置されていなくてもよい。
【０１４９】
また、たばこ什器１００からのたばこ商品１１の取り出しを許可された者（以下、取出権限保持者）以外が、たばこ什器１００からたばこ商品１１を取り出そうとした場合に、アラート（警報）を行うように、たばこ什器１００が構成されていることも好ましい。取出権限保持者は、店員であってもよいし、購買客であってもよい。
例えば、上記の第１実施形態では、マガジン１５からのたばこ商品１１の取り出しは、取出報知表示３８が行われる表示体２０を有する表示パネル５０を開いた状態で行われる。この場合、たばこ什器１００は、例えば、表示パネル５０の開操作を検出する開操作検出センサと、表示パネル５０を開く操作を行った操作者が取出権限保持者であるか否かの認証処理を行う認証処理部と、表示パネル５０を開く操作を行った操作者が取出権限保持者でないと認証処理部が判定した場合に、アラートを行うアラート部と、を備える。
認証処理部は、例えば、予め取出権限保持者の身分証（免許証等）の顔写真などから取得された顔画像情報を記憶保持する顔画像情報記憶保持部と、表示パネル５０を開く操作を行った操作者の顔の画像を撮像する撮像部とを備えており、撮像部により撮像された撮像顔画像と顔画像情報記憶保持部に記憶保持されている顔画像情報とを比較し、操作者が取出権限保持者であるか否かを判定する。ただし、認証処理部による認証方法としては、その他の各種の認証方法を適用することができる。
また、アラートは、単に許可無く表示パネル５０が開かれた場合ではなく、許可無くマガジン１５からたばこ商品１１が取り出された場合に行われるようになっていてもよい。すなわち、取出権限保持者以外が表示パネル５０を開いた場合に、残個管理部が管理するマガジン１５における残個数が減少した場合に、アラートを行うようにしてもよい。
このような構成は、たばこ什器１００がフロント什器であり、購買者が自らたばこ什器１００からたばこ商品１１を取り出す構成において特に有用である。この場合、認証処理部は、成人認証を兼ねていることが好ましい。
【０１５０】
また、上記においては、表示制御部（制御部２２）は、複数の収容領域のうち銘柄指定情報取得部２７が取得した銘柄指定情報と対応する収容領域を特定しうる態様で表示体２０に表示動作を行わせる制御を行う例を説明したが、本発明は、この例に限らない。
このように、一例として、たばこ什器は、それぞれ複数のたばこ商品をオペレータにより取り出し可能に収容する複数の収容領域と、前記収容領域と対応して設けられた表示体と、前記表示体の表示動作を制御する表示制御部と、を備える。
好ましくは、表示制御部は、各表示体において、当該表示体と対応する収容領域に収容されているたばこ商品と対応する表示を行わせる。
【０１５１】
なお、本発明の各種の構成要素は、個々に独立した存在である必要はなく、一つの構成要素が他の構成要素の一部であること、ある構成要素の一部と他の構成要素の一部とが重複していること、等を許容する。
【０１５２】
本実施形態は以下の技術思想を包含する。
（１）それぞれ複数のたばこ商品をオペレータにより取り出し可能に収容する複数の収容領域と、
たばこ商品の銘柄を指定する銘柄指定情報を取得する銘柄指定情報取得部と、
前記収容領域と対応して設けられた表示体と、
前記表示体の表示動作を制御する表示制御部と、
を備え、
前記表示制御部は、前記複数の収容領域のうち前記銘柄指定情報取得部が取得した前記銘柄指定情報と対応する収容領域を特定しうる態様で前記表示体に表示動作を行わせる制御を行うたばこ什器。
（２）個々の前記収容領域と対応して設けられた複数の前記表示体を備え、
前記表示制御部は、前記複数の収容領域のうち前記銘柄指定情報と対応する収容領域と対応する前記表示体に表示動作を行わせる制御を行う（１）に記載のたばこ什器。
（３）前記表示制御部は、前記銘柄指定情報と対応する前記収容領域と対応する前記表示体を他の前記表示体と比べて目立たせる制御を行う（２）に記載のたばこ什器。
（４）前記銘柄指定情報取得部は、たばこ商品の取出要求と、当該取出要求と対応する前記銘柄指定情報と、を取得し、
前記表示制御部は、前記収容領域からの前記たばこ商品の取り出しを促す取出報知表示を前記表示体に行わせる（１）から（３）のいずれか一項に記載のたばこ什器。
（５）前記表示制御部は、前記取出要求と対応するたばこ商品を前記収容領域から取り出すべき個数を示す個数指定情報の表示を前記表示体に行わせる（４）に記載のたばこ什器。
（６）前記表示制御部は、前記取出要求と対応するたばこ商品が、店舗に設置された複数の販売端末のうちいずれの販売端末での販売用であるかを示す販売端末指定情報の表示を前記表示体に行わせる（４）又は（５）に記載のたばこ什器。
（７）前記取出要求とは異なる前記収容領域からの前記たばこ商品の取り出し動作である誤取出動作を検出する誤取出動作検出部を備え、
前記表示制御部は、前記誤取出動作が発生した場合に、取り出し動作が誤りである旨の誤取出報知表示を前記表示体に行わせる（４）から（６）のいずれか一項に記載のたばこ什器。
（８）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記誤取出動作検出部は、前記フラップ部の前傾動作を検出する前傾検出部を含んで構成されている（７）に記載のたばこ什器。
（９）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前後方向における前記スライダの位置を検出するスライダ位置検出部を含んで構成されている（７）に記載のたばこ什器。
（１０）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前記スライダの後方に設けられていて、前記スライダとの距離又は最後尾の前記たばこ商品との距離を検出する測距センサを含んで構成されている（７）に記載のたばこ什器。
（１１）前記複数の収容領域の各々における前記たばこ商品の残個数を管理する残個管理部を更に備え、
前記表示制御部は、前記残個管理部による管理結果に応じて、前記収容領域への前記たばこ商品の補充を促す補充報知表示を前記表示体に行わせる（１）から（１０）のいずれか一項に記載のたばこ什器。
（１２）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
前後方向における前記スライダの位置に応じて揺動する揺動部材と、
を備え、
前記残個管理部は、前記揺動部材の揺動を検出する揺動検出部を含んで構成されている（１１）に記載のたばこ什器。
（１３）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記残個管理部は、前記フラップ部の前傾動作を検出する前傾検出部を含んで構成されている（１１）に記載のたばこ什器。
（１４）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前後方向における前記スライダの位置を検出するスライダ位置検出部を含んで構成されている（１１）に記載のたばこ什器。
（１５）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前記スライダの後方に設けられていて、前記スライダとの距離又は最後尾の前記たばこ商品との距離を検出する測距センサを含んで構成されている（１１）に記載のたばこ什器。
（１６）いずれかの前記収容領域へのたばこ商品の補充作業の際には、
前記表示制御部は、
補充作業中の前記収容領域については、たばこ商品の取出要求に基づく前記表示動作を行わず、
その他の前記収容領域については、たばこ商品の取出要求に基づく前記表示動作を行う（１１）から（１５）のいずれか一項に記載のたばこ什器。
（１７）前記複数の収容領域が上下方向及び水平方向にそれぞれ複数列のアレイ状に配置されており、
当該たばこ什器は、
前記複数の収容領域を保持しているか又は前記複数の収容領域を有している収容棚と、
個々の前記収容領域と対応して設けられた複数の前記表示体と、
を備え、
前記表示体は、対応する前記収容領域の前面側を覆う閉状態と、前記収容領域から前方に前記たばこ商品を取り出し可能な開状態とに揺動可能に、前記収容棚に軸支されている（１）から（１６）のいずれか一項に記載のたばこ什器。
（１８）前記表示体は、電子ペーパーを含んで構成されている（１）から（１７）のいずれか一項に記載のたばこ什器。
（１９）個々の前記収容領域と対応して設けられた複数の前記表示体を備え、
前記表示制御部は、通常時においては、前記収容領域に収容されている前記たばこ商品と対応する通常表示を当該収容領域と対応する前記表示体に行わせ、
前記銘柄指定情報取得部が前記銘柄指定情報を取得した場合には、当該銘柄指定情報と対応する前記収容領域と対応する前記表示体において、前記通常表示とは異なる態様での特定報知表示を行わせる（１８）に記載のたばこ什器。
（２０）前記表示制御部は、
前記銘柄指定情報取得部が前記銘柄指定情報を取得した場合には、当該銘柄指定情報と対応する前記収容領域と対応する前記表示体において、前記通常表示と前記特定報知表示との双方を並行して行わせる（１９）に記載のたばこ什器。
（２１）前記複数の収容領域が上下方向及び水平方向にそれぞれ複数列のアレイ状に配置されており、
個々の前記収容領域と対応して設けられた複数の前記表示体を備え、
前記複数の表示体の各々は、発光部材を含んで構成されており、
水平方向に隣り合う前記表示体どうしが相互に電気的及び機械的に接続されて一体の表示体群を構成している（１）から（１６）のいずれか一項に記載のたばこ什器。
（２２）前記表示体群の一端に位置する前記表示体から隣の前記表示体へ順次給電される（２１）に記載のたばこ什器。
（２３）前記複数の収容領域を保持しているか又は前記複数の収容領域を有している収容棚を備え、
前記表示体群は前記収容棚に対して着脱可能である（２１）又は（２２）に記載のたばこ什器。
（２４）前記表示体群に含まれる前記表示体のうち水平方向において隣り合う前記表示体どうしが相互に着脱可能である（２１）から（２３）のいずれか一項に記載のたばこ什器。
（２５）前記収容領域に新規のたばこ商品を収容させる旨の要求である新規収容要求を受け付ける新規収容要求受付部を備え、
前記表示制御部は、前記新規収容要求受付部が前記新規収容要求を受け付けた場合に、前記新規のたばこ商品を収容する前記収容領域の候補を案内する候補領域案内表示を前記表示体に行わせる（１）から（２４）のいずれか一項に記載のたばこ什器。
（２６）前記オペレータは店舗の店員であり、
前記銘柄指定情報取得部は、前記店員により入力される前記銘柄指定情報を取得する（１）から（２５）のいずれか一項に記載のたばこ什器。
（２７）前記表示体として、個々の前記収容領域からの前記たばこ商品の取り出し側にそれぞれ配置された、複数の取出側表示体を備え、
前記表示制御部は、前記銘柄指定情報取得部が取得した前記銘柄指定情報と対応する収容領域を特定しうる態様での表示動作を、前記銘柄指定情報と対応する収容領域の取り出し側に配置された前記取出側表示体に行わせる（１）から（２６）のいずれか一項に記載のたばこ什器。
（２８）前記表示体として、個々の前記収容領域からの前記たばこ商品の取り出し側とは反対側に配置された、複数の反対側表示体を備え、
前記表示制御部は、前記銘柄指定情報取得部が取得した前記銘柄指定情報と対応する収容領域と対応する前記反対側表示体に表示動作を行わせる（１）から（２７）のいずれか一項に記載のたばこ什器。
（２９）当該たばこ什器は、
それぞれ前記収容領域を構成する複数のマガジンと、
前記マガジンが搭載される棚板を有する収容棚と、
前記マガジンが前記棚板上の基準位置から他の位置に移動したこと、及び、前記マガジンが前記基準位置に復帰したことを検出するマガジン移動検出部と、
前記マガジン移動検出部による検出の履歴を記憶保持する履歴情報記憶部と、
を備える（１）から（２８）のいずれか一項に記載のたばこ什器。
（３０）前記マガジンが前記基準位置から他の位置に移動したことを報知するマガジン移動報知部を更に備える（２９）に記載のたばこ什器。
（３１）当該たばこ什器は、それぞれ前記収容領域を構成する複数のマガジンと、前記マガジンが搭載される棚板を有する収容棚と、を備え、
前記表示体は、
前記収容棚における前記マガジンよりも後方の位置に配置された光源と、
前記棚板に設けられていて、前記光源から出力された光を前記棚板の前端面に向けて導く導光部材と、
を備えて構成されており、前記導光部材を介して導かれた光を利用して、前記棚板の前端面において前記表示動作を行う（１）から（３０）のいずれか一項に記載のたばこ什器。
（３２）前記表示制御部は、前記銘柄指定情報と対応する収容領域を特定しうる態様での前記表示動作として、
大まかな領域の報知表示である第１報知表示と、より詳細な領域の報知表示である第２報知表示と、を行わせる（１）から（３１）のいずれか一項に記載のたばこ什器。
（３３）当該たばこ什器は、複数の収容棚を備え、
前記複数の収容棚の各々は、前記複数の収容領域を保持しているか又は前記複数の収容領域を有しており、
前記第１報知表示は、複数の収容棚のうち特定の収容棚を報知する表示であり、
前記第２報知表示は、前記第１報知表示により報知される前記収容棚の複数の収容領域のうち特定の収容領域を報知する表示である（３２）に記載のたばこ什器。
（３４）当該たばこ什器は、それぞれ前記収容領域を構成する複数のマガジンと、前記マガジンが搭載される棚板を有する収容棚と、を備え、
前記収容棚には、前記複数のマガジンが上下方向及び水平方向にそれぞれ複数列のアレイ状に配置されており、
前記棚板の前端面において、個々の前記マガジンと対応する位置において前記表示動作が可能に、複数の前記表示体が設けられており、
前記表示制御部は、前記銘柄指定情報と対応する収容領域を特定しうる態様での表示動作として、前記銘柄指定情報と対応する前記マガジンを上下から挟む一対の前記表示体を用いた表示動作を行わせる（１）から（３３）のいずれか一項に記載のたばこ什器。
（３５）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
当該たばこ什器は、前記搭載部における前記たばこ商品の個数、又は、当該個数の増減を検出する残個数検出部を備え、
前記残個数検出部は、前記スライダの後方に設けられていて、前記スライダとの距離又は最後尾の前記たばこ商品との距離を検出する測距センサを含んで構成されており、
前記マガジンからの前記たばこ商品の取出要求が発生した場合に、前記残個数検出部は、前記測距センサによる検出動作を一時的にアクティブにし、その後、所定の終了条件が成立した場合に、当該検出動作を非アクティブにする（１）から（３４）のいずれか一項に記載のたばこ什器。
（３６）それぞれ複数のたばこ商品をオペレータにより取り出し可能に収容する複数の収容領域と、前記複数の収容領域を保持しているか又は前記複数の収容領域を有している収容棚とを備え、前記複数の収容領域が上下方向及び水平方向にそれぞれ複数列のアレイ状に配置されているたばこ什器に着脱可能に装着される表示体であって、
水平方向に隣り合う複数の表示体どうしが相互に電気的及び機械的に接続されて構成された表示体群の形態となって、前記収容領域と対応する配置で前記収容棚に対して着脱可能である表示体。
（３７）当該表示体は、表示制御部の制御下で、前記複数の収容領域のうち当該表示体と対応する収容領域を特定しうる態様で表示動作を行う（３６）に記載の表示体。
（３８）それぞれ複数のたばこ商品をオペレータにより取り出し可能に収容する複数の収容領域と、前記収容領域と対応して設けられた表示体と、前記表示体の表示動作を制御する表示制御部と、を備えるたばこ什器。
（３９）前記表示制御部は、各表示体において、当該表示体と対応する収容領域に収容されているたばこ商品と対応する表示を行わせる（３８）に記載のたばこ什器。
【０１５３】
この出願は、２０１８年６月１８日に出願された日本出願特願２０１８−１１５５８２号、及び、２０１９年４月１１日に出願された日本出願特願２０１９−０７５５９７号を基礎とする優先権を主張し、その開示の総てをここに取り込む。
【符号の説明】
【０１５４】
１１  たばこ商品
１２  マガジン収容棚（収容棚）
１３  棚板
１３ａ  位置決め穴
１４  後部壁
１５  マガジン（収容領域）
１６  前面壁（フラップ部）
１６ａ  被軸支突起
１６ｂ  被ガイド突起
１６ｃ  押圧突起
１７  側壁
１８  軸支孔
１９  係止孔
２０  表示体
２２  制御部
２３  ＣＰＵ
２４  ＲＯＭ
２５  ＲＡＭ
２６  記憶部（履歴情報記憶部）
２７  銘柄指定情報取得部
２８  バーコードリーダ
２９  測距センサ
３１  搭載部
３１ａ  本体部
３２  側壁
３３  底板部
３３ａ  スリット
３３ｂ  突出片
３４  後面壁
３５  スライダ
３５ａ  下部
３６  付勢部
３７  通常表示
３８  取出報知表示（特定報知表示）
４０  誤取出報知表示
４３  残個数表示
４４  補充報知表示
４４ａ  文字情報
４４ｂ  画像情報
４７  候補領域案内表示
４８  不良品情報表示
５０  表示パネル
５１  パネル本体
５２  軸部
５５  連結パネル
６０  マガジン什器
６６  電極
６７  電極ユニット
６８  ワイヤ
６８ａ  先端部
６９  電極
７０  揺動部材
７０ａ  前側部分
７０ｂ  後側部分
７１  軸支部
７２  スイッチ
７４  軸支孔
７５  ガイド孔
７６  スイッチ
８０  操作タブレット
８１  表示画面
８２  ＬＥＤバー（表示体群）
８４  ＬＥＤ（発光部材）
８５、８５ａ、８５ｂ、８５ｃ  セグメント（表示体）
８６ａ  雌コネクタ
８６ｂ  雄コネクタ
８６ｃ  端部コネクタ
８６ｅ  固定用係合部
８７  ロック機構
８８  キー差込部
８９  係止部材
９０、９０ａ、９０ｂ  携帯端末装置
９１、９１ａ、９１ｂ  特定報知表示
９２  カートンストッカ
９３  検出センサ
９４  レバー
９５  報知部
９６  光源
９７  導光板（導光部材）
９８  仕切板
９９  磁石
１００  たばこ什器
１１０  制御ボックス
１１１  表示テープ
１１２  天板
１１３  表示パネル
１１４  第２表示部
【図１】
2019244801.tif 000003
【図２】
2019244801.tif 000004
【図３】
2019244801.tif 000005
【図４】
2019244801.tif 000006
【図５】
2019244801.tif 000007
【図６】
2019244801.tif 000008
【図７】
2019244801.tif 000009
【図８】
2019244801.tif 000010
【図９】
2019244801.tif 000011
【図１０】
2019244801.tif 000012
【図１１】
2019244801.tif 000013
【図１２】
2019244801.tif 000014
【図１３】
2019244801.tif 000015
【図１４】
2019244801.tif 000016
【図１５】
2019244801.tif 000017
【図１６】
2019244801.tif 000018
【図１７】
2019244801.tif 000019
【図１８】
2019244801.tif 000020
【図１９】
2019244801.tif 000021
【図２０】
2019244801.tif 000022
【図２１】
2019244801.tif 000023
【図２２】
2019244801.tif 000024
【図２３】
2019244801.tif 000025
【図２４】
2019244801.tif 000026
【図２５】
2019244801.tif 000027
【図２６】
2019244801.tif 000028
【図２７】
2019244801.tif 000029
【図２８】
2019244801.tif 000030
【国際調査報告】
2019244801.tif 000031
2019244801.tif 000032
2019244801.tif 000033
2019244801.tif 000034